(57)【要約】【課題】加湿機能を有する暖房機において、加湿風による床濡れを防止しつつ、大きな霧化量で加湿を行う。【解決手段】暖房機が、外部から取り込まれた空気を暖めるヒータ、及び前記ヒータによって暖められた空気が温風として吹き出される温風吹出口を有する温風吹出機構と、外部から取り込まれた空気を加湿する加湿部、及び前記加湿部において加湿された空気が加湿風として吹き出される加湿風吹出口を有する加湿風吹出機構と、を備え、前記加湿部は、液体を霧化する霧化器を備え、前記加湿風吹出口は、前記温風吹出口の上方に配され、前記温風吹出口と同じ方向に加湿風を吹き出すように形成されている。加湿風吹出口は、斜め上方に向かって開口している。【選択図】図１
2017032235.tif 000002
【特許請求の範囲】
【請求項１】
外部から取り込まれた空気を暖めるヒータ、及び前記ヒータによって暖められた空気が温風として吹き出される温風吹出口を有する温風吹出機構と、
外部から取り込まれた空気を加湿する加湿部、及び前記加湿部において加湿された空気が加湿風として吹き出される加湿風吹出口を有する加湿風吹出機構と、
を備え、
前記加湿部は、液体を霧化する霧化器を備え、
前記加湿風吹出口は、前記温風吹出口の上方に配され、前記温風吹出口と同じ方向に加湿風を吹き出すように形成されている
暖房機。
【請求項２】
前記加湿風吹出口は、斜め上方に向かって開口している
請求項１に記載の暖房機。
【請求項３】
前記霧化器は超音波振動子である
請求項１又は２に記載の暖房機。
【請求項４】
前記温風吹出機構は、気流を生成する温風用送風機を有し、
前記加湿風吹出機構は、気流を生成する加湿風用送風機を有する
請求項１〜３のいずれか１項に記載の暖房機。
【請求項５】
前記温風吹出機構は、外部から空気を取り込む温風用空気取込口を有し、
前記加湿風吹出機構は、前記温風用空気取込口と異なる位置に形成された、外部から空気を取り込む加湿風用空気取込口を有する
請求項１〜４のいずれか１項に記載の暖房機。
【発明の詳細な説明】
【技術分野】
【０００１】
本発明は、暖房機に関する。
【背景技術】
【０００２】
室内で暖房機を使用した場合に、室内の温度の上昇に伴って湿度が低下する。このため、従来、気化式、蒸気式、超音波式等の様々な方法の加湿機構を有し、室内空間を加湿する加湿機が広く用いられている。
また、配置スペースの観点から、加湿機構を有する暖房機も用いられるようになっている。
【０００３】
しかしながら、加湿機構を有する暖房機の一部は、温風及び加湿風とが同じ吹出口から吹出される構成となっている。このような加湿機構を有する暖房機では、温風を加湿する際に、温風の温度が低下してしまうという問題があった。特に、水で湿らせたフィルタに温風を送って水を蒸発させることにより加湿する気化式の加湿機構では、温風と加湿風の独立制御が困難であり、また加湿量の制御が困難であった。
そこで、以下の特許文献１に示すように、互いに独立した加湿風吹出機構及び温風吹出機構を有する暖房機が提案されている。
【先行技術文献】
【特許文献】
【０００４】
【特許文献１】特開平４−４１３１６０号公報
【発明の概要】
【発明が解決しようとする課題】
【０００５】
しかしながら、加湿風吹出機構及び温風吹出機構を独立させて設けた暖房機を使用した場合、加湿風によって床濡れが生じる場合がある。特に、超音波式や遠心式等の水噴霧式の加湿機構では、水を微細な粒子にして加湿を行うため、水の粒子が気化する前に床に落下して、床濡れが生じやすくなるという問題があった。
本発明は、このような事情に鑑みてなされたものであって、加湿風による床濡れを防止しつつ、大きな霧化量で加湿を行うことができる暖房機の提供を目的とする。
【課題を解決するための手段】
【０００６】
上記課題を解決するために、本発明の一態様に係る暖房機は、外部から取り込まれた空気を暖めるヒータ、及び前記ヒータによって暖められた空気が温風として吹き出される温風吹出口を有する温風吹出機構と、外部から取り込まれた空気を加湿する加湿部、及び前記加湿部において加湿された空気が加湿風として吹き出される加湿風吹出口を有する加湿風吹出機構と、を備え、前記加湿部は、液体を霧化する霧化器を備え、前記加湿風吹出口は、前記温風吹出口の上方に配され、前記温風吹出口と同じ方向に加湿風を吹き出すように形成されていることを特徴とする。
【発明の効果】
【０００７】
本発明の一態様によれば、加湿風による床濡れを防止しつつ、大きな霧化量で加湿を行うことができる暖房機を得ることができる。
【図面の簡単な説明】
【０００８】
【図１】本発明の一実施形態に係る暖房機の外観を示す斜視図である。
【図２】本発明の一実施形態に係る暖房機の外観を示す正投影図である。
【図３】本発明の一実施形態に係る暖房機を構成するフロントパネルの外観を示す斜視図である。
【図４】本発明の一実施形態に係る暖房機の分解斜視図である。
【図５】本発明の一実施形態に係る暖房機の内部構成を示す分解斜視図及び断面図である。
【図６】本発明の一実施形態に係る暖房機の構成を示す機能ブロック図である。
【図７】本発明の一実施形態に係る暖房機の内部構成を示す分解斜視図及び暖房機を構成する加湿風誘導部材の外観を示す斜視図である。
【図８】本発明の一実施形態に係る暖房機の内部構成を示す斜視図である。
【図９】本発明の一実施形態に係る暖房機を構成する部品の斜視図及び分解斜視図である。
【図１０】本発明の一実施形態に係る暖房機における加湿時に用いられる、差分水蒸気量と霧化量目標値との対応関係を示すテーブルの具体例である。
【図１１】本発明の一実施形態に係る暖房機における加湿時に用いられる、差分水蒸気量と霧化量目標値との対応関係を示すテーブルの模式図の第１の例である。
【図１２】本発明の一実施形態に係る暖房機における加湿時に用いられる、差分水蒸気量と霧化量目標値との対応関係を示すテーブルの模式図の第２の例である。
【図１３】本発明の一実施形態に係る暖房機における加湿時に用いられる、差分水蒸気量と霧化量目標値との対応関係を示すテーブルの模式図の第３の例である。
【図１４】本発明の一実施形態に係る暖房機で用いられる加湿風吹出機構の制御方法を説明するフローチャートである。
【図１５】本発明の一実施形態に係る暖房機で用いられる加湿風吹出機構の制御方法を説明するフローチャートである。
【図１６】本発明の一実施形態に係る暖房機で用いられる加湿風吹出機構の制御方法を説明するフローチャートである。
【図１７】本発明の一実施形態に係る暖房機で用いられる加湿風吹出機構の制御方法を説明するフローチャートである。
【図１８】本発明の一実施形態に係る暖房機で用いられる加湿風吹出機構の制御方法を説明するフローチャートである。
【図１９】本発明の一実施形態に係る暖房機で用いられる加湿風吹出機構の制御方法を説明するフローチャートである。
【発明を実施するための形態】
【０００９】
以下、本発明の一実施形態に係る暖房機の全体構成について図１から図５を参照して説明する。本発明の一実施形態に係る暖房機１は、加湿機能を有している。
【００１０】
［暖房機の全体構成］
まず、本実施形態に係る暖房機１の説明において、「正面」、「背面」、「右側面」「左側面」、「平面」、「底面」を以下のように規定する。
「正面」は、床等の上に設置した暖房機１において温風が吹き出される温風吹出口２１が設けられている側の面（図１参照）とし、「背面」は、「正面」と反対側の面とする。また、「右側面」は、暖房機１の正面側に正対した看者から見て右手側の側面とし、「左側面」は、暖房機１の正面側に正対した看者から見て左手側の側面とする。また、「平面」（以下、「上面」と記載する場合がある）は、暖房機１を水平な床上に設置した状態において鉛直方向上方から見た面とし、「底面」は、暖房機１を水平な床上に設置した状態において鉛直方向下方から見た面とする。
【００１１】
図１は、本発明の一実施形態に係る暖房機１の正面右斜め上方から見た場合の外観を示す斜視図である。なお、理解を容易にするため、図１において、窓部１５ａは、点線で囲んで図示されている。
図２（Ａ）から図２（Ｆ）は、暖房機１の外観を示す正投影図であり、図２（Ａ）は暖房機１の正面図、図２（Ｂ）は暖房機１の右側面図、図２（Ｃ）は暖房機１の左側面図、図２（Ｄ）は暖房機１の背面図、図２（Ｅ）は暖房機１の平面図、図２（Ｆ）は暖房機１の底面図である。
図３は、暖房機１を構成するフロントパネルの正面右斜め上方から見た場合の外観を示す斜視図である。
図４は、暖房機１の分解斜視図である。
図５（Ａ）及び図５（Ｂ）は、暖房機１の内部構成を示す図であり、図５（Ａ）は暖房機１の背面部の内部構成を示す分解斜視図、図５（Ｂ）は図２（Ａ）中に示すＡ−Ａ断面で切断した断面を示す断面図である。
【００１２】
図１及び図２に示すように、暖房機１は、全体的に四角柱形状を有する筐体１０と、筐体１０の正面側に設けられた温風吹出口２１と、筐体１０の上面側に設けられた加湿風吹出口３１ａと、を備えている。温風吹出口２１から、暖房機１の背面から正面に向かう方向に温風が吹き出される。また、加湿風吹出口３１ａからは、加湿された空気である加湿風が吹き出される。
暖房機１において、加湿風吹出口３１ａは、温風吹出口２１の上方に配され、温風吹出口２１と同じ方向に加湿風を吹き出すように形成されている。ここで、「同じ方向」とは平面視において同じ方向をいう。したがって、加湿風吹出口３１ａからは、平面視において、暖房機１の背面から正面に向かう方向（図１に示すＸ方向）に加湿風が吹き出される。これにより、加湿風吹出口３１ａから吹き出される加湿風の下方で、温風吹出口２１から温風が吹き出される。このため、加湿風が温風によって室内に拡散され、加湿風による床面の濡れを抑制することができる。また、加湿風吹出口３１ａは、斜め上方に向かって開口していることが好ましい。これにより、加湿風吹出口３１ａは、加湿風を斜め上方に向かって吹き出すため、部屋全体を効果的に加湿するとともに、床濡れをより一層低減することができる。
【００１３】
また、暖房機１は、筐体１０の背面側に設けられた空気取込口１３ａと、筐体１０の底面側に設けられた空気取込口１４ａと、筐体１０の右側面に設けられた空気取込口１１ｇとを備えている。本実施形態において、空気取込口１３ａは温風用の空気取込口（温風用空気取込口）として機能し、空気取込口１４ａ及び空気取込口１１ｇは加湿風用の空気取込口（加湿風用空気取込口）として機能する。加湿風用空気取込口１４ａ及び加湿風用空気取込口１１ｇは、温風用空気取込口１３ａと異なる位置に形成される。
さらに、暖房機１は、筐体１０の外面に設けられた操作部２と、筐体１０から暖房機１の正面側に設けられた人感センサ部３と、筐体１０から暖房機１の外部に導出された電源コード４とを備えている。
【００１４】
図１及び図２に示すように筐体１０は、暖房機１の前面下部から左右側面下部の一部の領域を連続的に占めるフロントパネル１１と、暖房機１の背面から左右側面の一部の領域を連続的に占めるリアパネル１２と、リアパネル１２に設けられた段差部１２ａを占めるフィルタカバー１３と、暖房機１の底面の全領域を占めるボトムパネル１４と、暖房機１の正面上部から左右側面上部の一部の領域を連続的に占めるタンクカバー１５と、暖房機１の上面の正面側の領域を占めるトップカバー１６と、暖房機１の上面の背面側の領域を占め、操作部２が設けられたトップパネル１７とを備えている。暖房機１は、筐体１０が全体的に四角柱形状を有しており、安定性が高く倒れにくくなっている。
【００１５】
以下、筐体１０を構成する各部について説明する。
（フロントパネル）
図３に示すように、フロントパネル１１は、正面部１１ｂと、正面部１１ｂの右端と連続して形成された右側面部１１ｃと、正面部１１ｂの左端と連続して形成された左側面部１１ｄとを備えている。また、フロントパネル１１は、正面部１１ｂ、右側面部１１ｃ及び左側面部１１ｄと一体に設けられ、正面部１１ｂ、右側面部１１ｃ及び左側面部１１ｄで囲まれた空間を覆う上面部１１ｅを備えている。
フロントパネル１１の正面部１１ｂには、温風吹出口２１（図１参照）を外部に露出させるための開口部１１ａが形成されている。また、フロントパネル１１の正面部１１ｂには、人感センサ部３（図１参照）を外部に露出させるための開口部１１ｆが形成されている。さらに、フロントパネル１１の上面部１１ｅには、給液タンク４０（図５等参照）が載置される。上面部１１ｅには、外部から取り込まれた空気を加湿する加湿部３２が形成されている。また、上面部１１ｅには、水等の液体を貯える給液タンク４０が取り付けられる給液タンク取付部３３が形成されている。
【００１６】
加湿部３２は、フロントパネル１１の上面部１１ｅの一部が底面側に凹んで形成された凹部である。加湿部３２は、凹部の底面である底部３２ｂ、底部３２ｂの外周から底部３２ｂに対してほぼ垂直に立ち上がる側壁３２ｃ、及び底部３２ｂに形成された開口３２ｄを備えており、底部３２ｂ及び側壁３２ｃは上面部１１ｅと一体に形成されている。
開口３２ｄは、超音波振動子等の、液体を霧化する霧化器３５ａを露出するための開口である。また、底部３２ｂには、開口３２ｄとは異なる開口（図示せず）が形成されている。開口３２ｄとは異なる開口には、フロントパネル１１内の空間に配置される送液管３４（図４、図５参照）の一端が接続される。
加湿部３２は、給液タンク４０から送液管３４を介して供給された液体が貯えられる貯液部３２ａを有している。貯液部３２ａは、底部３２ｂと、側壁３２ｃと、霧化器３５ａとで囲まれた空間である。すなわち、貯液部３２ａを形成する側壁３２ｃと給液タンクの載置面であるフロントパネル１１の上面部１１ｅとは、一体に形成されている。
また、貯液部３２ａの一部は、水位センサ３７（図７（Ａ）参照）が配置可能な形状に形成された水位センサ配置部３２ｅとされている。水位センサ配置部３２ｅを含む貯液部３２ａの下方には、給液タンク４０から供給された液体が貯えられ、貯液部３２ａの上方には、外部から取り込まれた空気が導入される。また、水位センサ配置部３２ｅを含む貯液部３２ａの上方には、加湿風誘導部材３１が着脱可能に取り付けられる。
【００１７】
また、フロントパネル１１は、貯液部３２ａの背面側の位置に形成され、上面部１１ｅの下方（フロントパネル１１の内部側）から上方に突出する送風路３９を備えている。送風路３９は、貯液部３２ａの上部を覆う加湿風誘導部材３１（図７（Ａ）参照）と接続可能に形成されている。送風路３９は、上面部１１ｅの上方に突出する突出部３９ａと、突出部３９ａの正面に形成された開口３９ｂとを有している。開口３９ｂは、突出部３９ａの加湿風誘導部材３１に対向する位置に形成されている。また、送風路３９は、上面部１１ｅの下方（フロントパネル１１の内部側）に突出する突出部の一部に、開口を有している（図示せず）。
【００１８】
また、フロントパネル１１は、上面部１１ｅの一部が底面側に凹んで形成された給液タンク取付部３３を備えている。給液タンク取付部３３は、給液タンク４０の底面に取り付けられたタンクキャップ４０ａ（図４参照）が取り付け可能に形成されている。
給液タンク取付部３３は、突起３３ａと貯液部３３ｂを備えている。突起３３ａは、給液タンク取付部３３に給液タンク４０が取り付けられると、タンクキャップ４０ａに設けられた弁（図示せず）を給液タンク４０内部に押し込む形状に形成されている。突起３３ａがタンクキャップ４０ａに設けられた弁を給液タンク４０内部に押し込むことで、給液タンク４０内の液体を流出させるための空間を形成する。貯液部３３ｂには、給液タンク４０から流出した液体が貯められる。また、貯液部３３ｂは、フロントパネル１１内部に配置される送液管３４の一端と接続される開口（図示せず）が設けられている。
【００１９】
（リアパネル）
図５（Ａ）に示すように、リアパネル１２は、背面側からフィルタカバー１３を着脱するための段差部１２ａを備えている。また、リアパネル１２は、暖房機１内側に突出する突出部１２ｂを備えている。突出部１２ｂは、複数のスリット状開口１２ｃを備えている。暖房機１外部の空気は、フィルタカバー１３の温風用空気取込口１３ａ及び突出部１２ｂのスリット状開口１２ｃを介して、暖房機１内部に取り込まれる。
【００２０】
（フィルタカバー）
フィルタカバー１３は、外部から空気を取り込むための温風用空気取込口１３ａを備えている。温風用空気取込口１３ａは、複数のスリット状開口によって形成されている。フィルタカバー１３は、リアパネル１２の段差部１２ａに取り付けられる。また、リアパネル１２とフィルタカバー１３との間には、空気中の埃等を遮断するフィルタ２５が配置される（図４参照）。
【００２１】
（タンクカバー）
タンクカバー１５は、フロントパネル１１の上面部１１ｅ上に載置される給液タンク４０の前面及び両側面を覆い、リアパネル１２に対して着脱可能とされている。また、タンクカバー１５は、リアパネル１２以外の他の部分に対して着脱可能とされていてもよい。タンクカバー１５をリアパネル１２から取り外すことにより、給液タンク４０の加湿部３２及び給液タンク取付部３３を大きく解放することができる。さらに、加湿風誘導部材３１及び給液タンク４０を取り外すことで、フロントパネル１１の貯液部３２ａや貯液部３３ｂに残留した水の除去作業を容易に行うことが可能となる。
【００２２】
図４に示すように、タンクカバー１５は、正面部１５ｂと、正面部１５ｂの右端と連続して形成された右側面部１５ｃと、正面部１５ｂの左端と連続して形成された左側面部１５ｄとを備えている。
図１及び図４に示すように、タンクカバー１５は、給液タンク４０内の液体の残量を確認可能な窓部１５ａを備えている。
窓部１５ａは、透明材料又は半透明材料で形成されており、窓部１５ａからタンクカバー１５で覆われた給液タンク４０を視認可能となっている。図１に示すように、窓部１５ａは、温風吹出口２１と同じ面（正面）に設けられている。
窓部１５ａは、正面部１５ｂの幅方向中央部に設けられている。窓部１５ａは、矩形状に形成されており、窓部１５ａの幅はタンクカバー１５の正面部１５ｂの幅の約５０％とされている。また、タンクカバー１５の窓部１５ａが形成された正面部１５ｂは、平面視において外側に突出する形状となっている。これにより、暖房機１の左右方向から窓部１５ａが視認しやすくなり、暖房機１正面の広範囲で給液タンク４０内の液体の残量を確認しやすくなる。
【００２３】
また、窓部１５ａは、窓部１５ａの表面に、平面視において波状となる凹凸を有していてもよい。図４又は図５（Ｂ）に示すように、後述するミドルパネル４１の前面４１ａに投光部４２が設けられている。投光部４２を設けることにより、投光部４２から照射された照射光が、給液タンク４０内の液体の水面に反射する。このため、給液タンク４０内の液体の残量が窓部１５ａからさらに視認しやすくなる。また、投光部４２は、光源として例えばＬＥＤを備えている。投光部４２の光源をＬＥＤとすることで、投光部４２をコンパクトに構成できる上に、より強い光を得ることができ、水の残量が視認しやすくなる。さらに、加湿風が暖房機１の前方に吹出されるため、投光部４２から照射された光によって霧を含む加湿風が視認しやすくなり、暖房機１から離れた位置からでも加湿機能が動作していることを視認しやすくなる
【００２４】
（トップカバー）
また、図１及び図４に示すように、トップカバー１６は、給液タンク４０の上面を覆い、タンクカバー１５の上端部分に対して着脱可能とされている。トップカバー１６は、加湿風吹出口３１ａを暖房機１の外部に露出させる開口部１６ａと、切欠部１６ｂ（図１、図４参照）とを有している。開口部１６ａは、加湿風吹出口３１ａの開口方向に合わせて形成されている。切欠部１６ｂは、トップカバー１６をタンクカバー１５から取り外す際の指等の差込口となるように形成されている。
【００２５】
（トップパネル）
トップパネル１７は、使用者が暖房機１の操作を行うための操作部２が設けられている。トップパネル１７の下部には、操作部２に対する操作に基づく操作信号を主回路基板４６に送信するための操作検出回路等を備える操作回路基板４８が設けられている。
【００２６】
（ボトムパネル）
ボトムパネル１４は、加湿風用空気取込口１４ａと、取手部１４ｂとを備えている。加湿風用空気取込口１４ａは、外部から空気を取り込むための複数のスリット状開口によって形成されている。取手部１４ｂは、ボトムパネル１４の左右の端部の一部が上方向に持ち上がり、ボトムパネル１４の左右の端部の一部の下部に空間が設けられることで形成される。取手部１４ｂは、暖房機１が持ち運びされる際に、暖房機１の左右からボトムパネル１４の左右の端部の一部の下部に手が挿入可能となる形状に形成されている。
【００２７】
［暖房機の内部構成］
続いて、図４、図５及び図６を参照して、暖房機１の内部構成を説明する。図６は、暖房機１の機能ブロック図である。
図４に示すように、暖房機１の内部には、暖房機１の内部の空間を仕切るミドルパネル４１が設けられている。ミドルパネル４１は、暖房機１の内部空間を正面側空間１１０と背面側空間１２０（図５（Ｂ）参照）に仕切っている。
背面側空間１２０には、温風用送風機２４と、主回路基板４６と、電源基板４７と、操作回路基板４８と、主回路基板４６及び電源基板４７を覆う基板収容カバー４９とが設けられている。また、正面側空間１１０には、加湿風誘導部材３１と、給液タンク４０と、送液管３４と、霧化器３５ａを含む霧化部３５と、水位センサ３７と、加湿風用送風機３８と、投光部４２、温度センサ４３ａと、湿度センサ４３ｂが設けられている。さらに、背面側空間１２０から正面側空間１１０に亘って、第１送風路２２ａ及び第２送風路２２ｂ、温風吹出口２１、第２送風路２２ｂ内に設けられたヒータ２３が設けられている。
【００２８】
まず、暖房機１の温風吹出機構２０を構成する部分について説明する。
温風用送風機２４と、第１送風路２２ａ及び第２送風路２２ｂ、温風吹出口２１並びにヒータ２３は、温風吹出機構２０を構成する。
（温風用送風機）
温風用送風機２４は、シロッコファンからなる温風用ファン２４ａと、温風用ファン２４ａを回転させるモータ部２４ｂとを備えている。温風用送風機２４は、温風用ファン２４ａを回転させることにより、温風用空気取込口１３ａを介して外部から空気を取り込む。温風用ファン２４ａを回転させるモータ部２４ｂは、主回路基板４６に設けられた温風制御部５１の温風用駆動信号出力部５１ｃ（図６参照）により制御される。
暖房機１では、リアパネル１２の突出部１２ｂ（図４参照）と、ミドルパネル４１の背面４１ｂから突出部１２ｂの外周形状に合うように突出する壁部４１ｃ（図５（Ａ）参照）とが嵌め合わされることにより、温風用ファン２４ａのケース体２６が形成されている（図５（Ｂ）参照）。以下の説明において、温風用送風機２４（温風用ファン２４ａ及びモータ部２４ｂ）とケース体２６とを合わせて温風用送風部２７と記載する場合がある。
突出部１２ｂは、ミドルパネル４１の背面側に突出部１２ｂの外周形状に合うように突出する壁部４１ｃと嵌め合わされる。これにより、突出部１２ｂと壁部４１ｃ
とで区切られた温風用ファン配置空間が形成される。
【００２９】
（第１送風路及び第２送風路）
第１送風路２２ａ及び第２送風路２２ｂは、温風用送風機２４により温風用空気取込口１３ａを介して外部から取り込まれた空気を、温風吹出口２１に送るための送風路である。第１送風路２２ａは、温風用ファン２４ａの下部に配置される。第１送風路２２ａは、上方に開口２２１ａ、正面に開口２２２ａを備えており、全体として側面から見た形状が略Ｌ字状又はＬ字状に近い形状となっている。第２送風路２２ｂは、後述する加湿風用送風機３８の下方に配置される。第２送風路２２ｂは、背面に開口２２１ｂ、正面に２２２ｂを備えている。第１送風路２２ａの開口２２１ａは、リアパネル１２の突出部１２ｂと、ミドルパネル４１の壁部４１ｃとによって形成されたケース体２６と接続されている。また、第１送風路２２ａの開口２２２ａは、第２送風路２２ｂの開口２２１ｂと接続されている。第２送風路２２ｂの開口２２２ｂは、温風吹出口２１と接続されている。
【００３０】
（ヒータ）
ヒータ２３は、第２送風路２２ｂ内に備えられ、外部から取り込まれて第１送風路２２ａから第２送風路２２ｂに送られる空気を暖める。ヒータ２３は、主回路基板４６に設けられた温風制御部５１のヒータ通電部５１ｂ（図６参照）により制御される。ヒータ２３は、第１ヒータ要素２３ａ及び第２ヒータ要素２３ｂを備えている（図４、図６参照）。ヒータ２３は、第１ヒータ要素２３ａ及び第２ヒータ要素２３ｂの何れか一方又は双方を動作させて、空気を暖めることができる。ヒータ２３の第１ヒータ要素２３ａ及び第２ヒータ要素２３ｂはそれぞれ６００Ｗの電力で動作する。このため、第１ヒータ要素２３ａ又は第２ヒータ要素２３ｂの一方のみを動作させる場合には、ヒータ２３は６００Ｗの電力で動作するヒータとなる。また、第１ヒータ要素２３ａ又は第２ヒータ要素２３ｂの双方を動作させる場合には、ヒータ２３は１２００Ｗの電力で動作するヒータとなる。
【００３１】
（温風吹出口）
温風吹出口２１は、第２送風路２２ｂの開口２２２ｂと接続されており、フロントパネル１１の正面部１１ｂ（図３参照）に形成された開口部１１ａから暖房機１の外部に露出している。
フィルタカバー１３に設けられた温風用空気取込口１３ａ、リアパネル１２に設けられたスリット状開口１２ｃ、温風用ファン２４ａを備える温風用送風機２４、温風用ファン２４ａの下部に備えられた第１送風路２２ａ、第１送風路２２ａと接続される第２送風路２２ｂ、第２送風路２２ｂ内に配置されるヒータ２３、第２送風路２２ｂと接続される温風吹出口２１は、温風用空気取込口１３ａから取り込まれた空気を暖めて温風吹出口２１から吹出す温風吹出機構２０を形成する。温風用ファン２４ａは、温風吹出機構２０内で気流を生成する。すなわち、温風用ファン２４ａの回転により温風用空気取込口１３ａを介して外部から取り込まれた空気は、温風用ファン２４ａから第１送風路２２ａ第２送風路２２ｂに送られ、ヒータ２３によって暖められて温風吹出口２１から吹出される。
【００３２】
続いて、暖房機１の内部において加湿風吹出機構３０を構成する部分について説明する。
加湿風用送風機３８と、給液タンク４０と、送液管３４と、霧化器３５ａを含む霧化部３５と、加湿風誘導部材３１は、温風吹出機構２０を構成する。
（加湿風用送風機）
加湿風用送風機３８は、シロッコファンからなる加湿風用ファン３８ａと、加湿風用ファン３８ａを回転させるモータ部３８ｂと、加湿風用ファン３８ａを上部から覆う略半円形状の上ケース３８ｃと、加湿風用ファン３８ａを下から覆う略半円形状の下ケース３８ｄとを備えている。上ケース３８ｃ及び下ケース３８ｄは、互いに固定されている。加湿風用送風機３８は、筐体１０内において、フロントパネル１１の一部分に固定される。加湿風用送風機３８を温風用送風機２４とは別に設けることにより、温風と加湿風とを独立して制御することができるため、温風と加湿風とをそれぞれ高精度に制御することができる。
加湿風用送風機３８は、第２送風路２２ｂの上方に配置される。これにより、加湿風用送風機３８と温風の吹出しのための経路である第２送風路２２ｂとの干渉を避けつつ、加湿風用送風機３８と第２送風路２２ｂをコンパクトに配置することができる。
【００３３】
加湿風用ファン３８ａは、加湿風用ファン３８ａの回転軸が温風用ファン２４ａの回転軸と略平行となるように配置されていることが好ましい。また、加湿風用送風機３８は、正面視において、温風用送風機２４（温風用ファン２４ａ及びモータ部２４ｂ）とケース体２６とにより形成された温風用送風部２７の少なくとも一部と重なり合う位置に配置されていることが好ましい。これにより、加湿風用ファン３８ａ及び温風用ファン２４ａの配置において無駄な空間が減少し、暖房機１の外形をコンパクトに設計することができる。このため、暖房機１を室内に配置した場合の圧迫感を少なくすることができる。また、暖房機１の安定感を向上させ、転倒を抑制することができる。
【００３４】
互いに固定された上ケース３８ｃ及び下ケース３８ｄは、空気導入口３８ｆを有している。加湿風用ファン３８ａが回転した際に、ボトムパネル１４の加湿風用空気取込口１４ａ及びフロントパネル１１の加湿風用空気取込口１１ｇ（図２（Ｂ）、図２（Ｆ）参照）から取り込まれた空気は、空気導入口３８ｆから上ケース３８ｃ及び下ケース３８ｄ内に導入される。
さらに、図４に示すように、上ケース３８ｃは、上方に向かって開口する開口３８１ｃを有している。開口３８１ｃは、フロントパネル１１に形成された送風路３９と連続する下方の開口（図示せず）と接続される。
【００３５】
（給液タンク）
給液タンク４０は、加湿風を生成するための液体を貯えるタンクである。給液タンク４０には、水が貯えられる。また、給液タンク４０には、アロマオイルを混合した水等の、少なくとも水を含む液体が貯えられていてもよい。
図４に示すように、給液タンク４０は、全体として直方体形状を有している。給液タンク４０の左側面は、加湿風誘導部材３１に面し、加湿風誘導部材３１の形状に沿う形状とされている。給液タンク４０の背面は、ミドルパネル４１に面し、ミドルパネル４１に沿う形状とされている。給液タンク４０は、透明材料又は半透明材料で形成されている。
給液タンク４０の底面には、タンクキャップ４０ａが取り付けられている。タンクキャップ４０ａには送液管３４に水を供給するための弁（図示せず）が設けられている。給液タンク４０は、給液タンク取付部３３の突起３３ａ（図３参照）によってタンクキャップ４０ａの弁が給液タンク４０内部に押し込まれることで、給液タンク４０内に貯えられた液体を流出する。
【００３６】
（送液管）
送液管３４は、給液タンク４０内の液体を加湿部３２へ送るための管である。送液管３４は、上方に向けて開口された第１開口３４ａ及び第２開口３４ｂを備えている。第１開口３４ａは、給液タンク取付部３３の貯液部３３ｂ（図３参照）の開口（図示せず）と接続される。また、第２開口３４ｂは、加湿部３２の底部３２ｂ（図３参照）に設けられた、開口３２ｄとは異なる開口（図示せず）と接続される。したがって、給液タンク４０に貯えられた液体は、給液タンク取付部３３の貯液部３３ｂ（図３参照）及び送液管３４を介して、加湿部３２の貯液部３２ａに供給される。
また、送液管３４には、ヒータ機能が設けられていてもよい。送液管３４にヒータ機能が設けられている場合、給液タンク４０から送られた液体が霧化前に加熱されて殺菌効果が向上する。
【００３７】
（霧化部）
霧化部３５は、液体を霧化する霧化器３５ａを備えている。霧化器３５ａは超音波振動子であり、超音波振動により水を微細な粒子にすることで、霧を生成する。霧化器３５ａは、加湿部３２の底部３２ｂ（図３参照）に設けられた開口３２ｄから、加湿部３２内部に露出している。霧化器３５ａは、加湿部３２の貯液部３２ａに貯えられた液体を霧化して霧を生成する。
【００３８】
霧化器３５ａは、主回路基板４６に設けられた加湿風制御部５２の霧化器用駆動信号出力部５２ｂ（図６参照）により制御される。霧化器３５ａは、霧化器用駆動信号出力部５２ｂからの駆動信号に基づいて、連続動作又は間欠動作する。霧化器３５ａが連続動作を行う場合には、霧化器３５ａによって常に液体が霧化される。また、霧化器３５ａが間欠動作する場合、霧化器３５ａの停止時間に対する動作時間の比を小さくすることにより、霧化器３５ａによる霧化量を減少させる。
【００３９】
（加湿風誘導部材）
次に、加湿風誘導部材３１について説明する。
加湿風誘導部材３１は、加湿部３２の上部に取り付けられ、加湿部３２によって生成された加湿風を加湿風吹出口３１ａから暖房機１外部に誘導する。
図７（Ａ）及び図７（Ｂ）に示すように、加湿風誘導部材３１は、加湿風が吹き出される加湿風吹出口３１ａと、加湿部３２によって生成された加湿風を加湿風吹出口３１ａに誘導する誘導筒３１ｂと、誘導筒３１ｂの下方の一端から延出し、貯液部３２ａの上部に加湿風誘導部材を取り付けるための鍔部３１ｃと、鍔部３１ｃと連続して形成された、水位センサ３７の位置を規制する規制部３１ｄと、外部より取りこまれた空気を加湿部３２の貯液部３２ａに導入する空気導入部３１ｅと、を備えている。
加湿風吹出口３１ａは、加湿風誘導部材３１が貯液部３２ａの上方に取り付けられた場合に、正面に向かって開口するように形成されている。すなわち、加湿風吹出口３１ａは、温風吹出口２１と同じ方向に加湿風を吹き出すように形成されている。また、図７（Ｂ）に示すように、加湿風誘導部材３１の底面には、誘導筒３１ｂの下方の開口３１１ｂが設けられている。加湿風誘導部材３１が貯液部３２ａの上方に取り付けられることにより、貯液部３２ａの空間と誘導筒３１ｂの空間とが連続し、加湿風が加湿風吹出口３１ａに誘導される。
【００４０】
規制部３１ｄは、水位センサ３７が配置されるフロントパネル１１の水位センサ配置部３２ｅ（図３参照）の上部を覆う。このため、規制部３１ｄは、水位センサ配置部３２ｅの内部に配置された水位センサ３７の上部を所定の位置に規制する。後述するように、水位センサ３７は、貯液部３２ａ（水位センサ配置部３２ｅ）内の液体中で浮遊し、当該液体の水位によって上下方向の位置が変化する浮遊体３７ａを備えている（図９参照）。規制部３１ｄは、浮遊体３７ａの移動可能な上限位置を、水位センサ３７で位置検出が可能な所定の位置に規制する。これにより、浮遊体３７ａが水位センサ３７の検出範囲外の上方向に位置して、水位検出が行われないことを防止する。また、加湿風誘導部材３１の着脱を検出するためのセンサを水位センサ３７と兼用することができる。
【００４１】
図８に示すように、加湿風誘導部材３１は、鍔部３１ｃの上面と給液タンク４０の載置面であるフロントパネル１１の上面部１１ｅの上面とが面一となるように貯液部３２ａ（図７参照）の上部に取り付けられている。また、貯液部３２ａに液体を供給するための給液タンク４０が、加湿風誘導部材３１の鍔部３１ｃの少なくとも一部に載置される。このとき、給液タンク４０の下面と加湿風誘導部材３１の鍔部３１ｃの表面とが接した状態となる。これにより、内部に液体を貯えた給液タンク４０の重量によって給液タンク４０の下部に配置された鍔部３１ｃが抑えられ、加湿風誘導部材３１の外れを防止することができる。加湿風誘導部材３１の外れを防止することにより、加湿風が適切に暖房機１の外部に吹出されるとともに、水位センサ３７による加湿風誘導部材３１の浮きを防止することができる。また、加湿風誘導部材３１の取り付けが適正でない場合には給液タンク４０が傾くため、加湿風誘導部材３１の取り付けが適正でないことが視認しやすくなる。
【００４２】
また、加湿風誘導部材３１が加湿部３２の上部に取り付けられることにより、フロントパネル１１の送風路３９及び加湿風誘導部材３１の空気導入部３１ｅが接続される（図７（Ａ）、図８参照）。このため、加湿風用ファン３８ａから送られた空気が、空気導入部３１ｅを介して、貯液部３２ａに取り込まれる。
【００４３】
（加湿部）
加湿部３２は、外部から取り込まれた空気を加湿する。加湿部３２には、フロントパネル１１の送風路３９及び加湿風誘導部材３１の空気導入部３１ｅを介して加湿風用ファン３８ａによって外部から取り込まれた空気が送られる。加湿部３２は、取り込まれた空気と、霧化器３５ａによって生成された霧とを混合して加湿風を生成する。加湿部３２が生成した加湿風は、加湿風誘導部材３１の誘導筒３１ｂによって加湿風吹出口３１ａに誘導され、加湿風吹出口３１ａから外部に吹出される。加湿風吹出口３１ａは、上述したとおり、温風吹出口２１の上方に配され、温風吹出口２１と同じ方向に加湿風を吹き出すように形成されている。このため、吹き出された加湿風が床方向に流れても、温風吹出口２１から吹出される温風により室内に拡散される。このため、加湿風による床濡れを防止することができる。また、温風と加湿風とを別の吹き出し口から吹出すため、温風吹出口２１から吹出される温風の温度の低下が生じにくい。
なお、貯液部３２ａの内部には、例えば銀等からなる抗菌部材が備えられていてもよい。
【００４４】
加湿風用空気取込口１４ａ及び１１ｇ、加湿風用送風機３８、フロントパネル１１の送風路３９、加湿部３２及び加湿風誘導部材３１は、加湿風用空気取込口１４ａ及び１１ｇから取り込まれた空気を加湿して加湿風吹出口３１ａから吹き出す加湿風吹出機構３０を形成する。加湿風用ファン３８ａは、加湿風吹出機構３０内で気流を生成する。すなわち、加湿風用ファン３８ａの回転により加湿風用空気取込口１４ａ及び１１ｇを介して外部から取り込まれた空気は、暖房機１内部の正面側空間１１０を経由して送風路３９から加湿部３２に送られ、加湿部３２で加湿されて加湿風吹出口３１ａから吹き出される。
【００４５】
［センサ部及び制御部］
以下、暖房機１が備える各センサについて図１、図４、図６、図７（Ａ）及び図９を参照して説明する。まず、通常の加温加湿動作中の制御に関わるセンサについて説明する。
（温度センサ及び湿度センサ）
暖房機１は、外部から取り込まれた空気の温度を検出する温度センサ４３ａと、外部から取り込まれた空気の湿度を検出する湿度センサ４３ｂとを備えている。温度センサ４３ａは、温度検出信号を主回路基板４６の温風制御部５１及び加湿風制御部５２（図６参照）に出力する。
図４に示すように、温度センサ４３ａ及び湿度センサ４３ｂは、ミドルパネル４１の前面４１ａの右下領域に設けられている。
温度センサ４３ａ及び湿度センサ４３ｂは、フロントパネル１１の加湿風用空気取込口１１ｇから加湿部３２に到る空気の流路上に配置されることが好ましい。これにより、温度センサ４３ａ及び湿度センサ４３ｂが、外部から取り込まれたばかりの空気の温度及び湿度を検出することができ、より高い精度で湿度の調整を行うことができる。
【００４６】
図６の機能ブロック図に示すように、主回路基板４６に設けられた温風制御部５１は、温度センサ４３ａからの温度検出信号を取得し、取得した温度検出信号に基づいてヒータ２３の制御を行う。また、加湿風制御部５２は、温度センサ４３ａの温度検出信号及び湿度センサ４３ｂの湿度検出部からの湿度検出信号に基づいて霧化器３５ａの制御を行う。加湿風制御部５２は、加湿部３２の貯液部３２ａに貯えられた液体を霧化する霧化器３５ａを連続的に又は間欠的に動作させることにより、霧化量の調整を行う。具体的な霧化量の調整方法は、後述する。
【００４７】
（人感センサ）
暖房機１は、周囲の人の存在を検知する人感センサ部３を備えている。
図６の機能ブロック図に示すように、人感センサ部３は、周囲の人の存在を検知する人感センサ３ａと、人感センサ３ａが周囲の人の存在を検知した場合に人検知信号を出力する人検知信号出力部３ｂと、人検知信号出力部３ｂから出力される人検知信号に基づいて暖房機１の近辺に人が存在しないことを判定する不在判定部３ｃとを備えている。不在判定部３ｃは、人感センサ３ａが予め定められた不在判定時間以上人の存在を検知しない場合に、暖房機１の近傍に人がいないと判定し、温風制御部５１及び加湿風制御部５２に不在判定信号を送信する。
人感センサ部３から不在判定信号を受信した温風制御部５１は、温風の吹き出しを停止させるように温風吹出機構２０を制御する。また、人感センサ部３から不在判定信号を受信した加湿風制御部５２は、加湿風の吹き出しを停止させるように加湿風吹出機構３０を制御する。
【００４８】
（ヒータ用温度センサ）
ヒータ用温度センサ４４ａは、例えばサーミスタである。ヒータ用温度センサ４４ａは、温風吹出機構２０内のヒータ２３に近接した位置に配置されている。図４に示すように、ヒータ用温度センサ４４ａは、第２送風路２２ｂの背面側の開口２２１ｂの上部に取り付けられている。ヒータ用温度センサ４４ａは、暖房機１の動作時にヒータ２３の温度が設定値となっているか否かを検出するために設けられている。ヒータ用温度センサ４４ａは、ヒータ２３の温度を検知して、ヒータ２３の温度が正常である場合には主回路基板の温風制御部５１及び加湿風制御部５２に対して検出信号を出力し、ヒータ２３の温度が異常である場合には温風制御部５１及び加湿風制御部５２に対して検出信号を出力しないようになっている。
主回路基板４６に設けられた監視部の一部である温度異常判定部４４ｂ（図５参照）は、ヒータ用温度センサ４４ａから入力される検知信号に基づいてヒータ２３周囲の温度が所定の閾値を超えたと判定した場合に、温風制御部５１のヒータ通電部５１ｂに動作停止信号を出力する。温風制御部５１は、ヒータ２３の動作を停止させる。このとき、温風制御部５１は、ヒータ２３の動作停止と同時に又はヒータ２３の動作停止後所定時間後に、温風用送風機２４の動作を停止させてもよい。また、温度異常判定部４４ｂは、ヒータ２３周囲の温度が所定の閾値を超えたと判定した場合に、加湿風制御部５２に動作停止信号を出力し、加湿風制御部５２は加湿部３２及び加湿風用送風機３８の動作を停止させてもよい。
【００４９】
なお、暖房機１は、図４に示すように、ヒータ２３と対向する第２送風路２２ｂの背面側の開口２２１ｂの上部に、温度ヒューズ４５を備えていてもよい。温度ヒューズ４５は、ヒータ２３を駆動する駆動回路において直列に接続され、ヒータ２３の温度が所定の温度以上に達すると溶断してヒータ２３の駆動を永久的に停止する。
【００５０】
（傾斜センサ）
傾斜センサ５０ａは、暖房機１の設置角度を検知して、検知信号を出力するセンサである。傾斜センサ５０ａは、暖房機１の設置角度が正常である場合には温風制御部５１及び加湿風制御部５２に対して検出信号を出力し、暖房機１の設置角度が異常である場合には温風制御部５１及び加湿風制御部５２に対して検出信号を出力しないようなっている。
主回路基板４６に設けられた監視部の一部である傾斜異常判定部５０ｂ（図６参照）に出力する。傾斜異常判定部５０ｂは、傾斜センサ５０ａから入力される検知信号に基づいて筐体１０の設置状態を判定し、筐体１０が所定の角度（例えば４５°）以上の角度で傾斜して設置されていることを検出した場合には、傾斜異常であると判定する。傾斜異常判定部５０ｂは、傾斜異常であると判定すると、温風制御部５１のヒータ通電部５１ｂに動作停止信号を出力し、温風制御部５１はヒータ２３の動作を停止させる。また、温風制御部５１は、ヒータ２３の動作停止と同時に又はヒータ２３の動作停止後所定時間後に、温風用送風機２４の動作を停止させてもよい。また、傾斜異常判定部５０ｂは、傾斜異常であると判定した場合に、加湿風制御部５２に動作停止信号を出力し、加湿風制御部５２は加湿部３２及び加湿風用送風機３８の動作を停止させてもよい。
【００５１】
（水位センサ）
水位センサ３７は、加湿部３２の貯液部３２ａに貯えられた液体の水位を検出するセンサである。水位センサ３７は、水位が予め定められた範囲にあるか否かを検出するセンサである。水位センサ３７は、水位が予め定められた範囲にある場合には加湿風制御部５２に対して検出信号を出力し、水位が予め定められた範囲にない場合には、加湿風制御部５２に対して検出信号を出力しないようなっている。主回路基板４６に設けられた加湿風制御部５２は、水位センサ３７からの検出信号を予め定めた所定時間受信できない場合に、霧化器３５ａの動作を停止させて液体の霧化処理を停止させる。
【００５２】
図６及び図９を参照して、液体検出部である水位センサ３７の構成を説明する。図９（Ａ）は、水位センサ３７の正面右側上方からの斜視図であり、図９（Ｂ）は、図９（Ａ）に示す水位センサ３７の分解斜視図である。
【００５３】
図９（Ａ）及び図９（Ｂ）に示すように、水位センサ３７は、液体中で浮遊する浮遊体３７ａ、浮遊体３７ａが予め定められた検出範囲内にあるか否かを検出する検出素子３７ｂ、検出素子３７ｂの出力を検出する検出基板３７ｃ、液体中で浮遊する浮遊体３７ａの上部に配置される規制部材３７ｄ及び検出基板３７ｃを支持する支持部材３７ｅを備えている。
水位センサ３７は、例えば磁気センサである。浮遊体３７ａは、給液タンク４０から供給された液体中で浮遊する材料からなり、空円筒形状に形成されている。また、浮遊体３７ａの内壁面には磁石が露出している（図示せず）。浮遊体３７ａは、貯液部３２ａ（水位センサ配置部３２ｅ）中の液体に浮遊して、液体の水位に応じて上下方向に移動する。また、浮遊体３７ａは、移動可能な上限位置が加湿風誘導部材３１の規制部３１ｄによって規制されている。このため、浮遊体３７ａは、加湿風誘導部材３１が取り付けられている限り、検出素子３７ｂの検出範囲外の上方に位置することはない。
【００５４】
検出素子３７ｂは、浮遊体３７ａが自身の近傍に存在する場合に、浮遊体３７ａ内の磁石の存在によって電流値が変化したりスイッチがオンされる素子である。検出素子３７ｂは、例えばリードスイッチであり、浮遊体３７ａ内の磁石によって磁界が作用することにより接点が開閉される。リードスイッチからなる検出素子３７ｂは、浮遊体３７ａが予め定められた検出範囲内（すなわち浮遊体３７ａが検出素子３７ｂの近傍に存在する場合）にはスイッチがオン状態となり、浮遊体３７ａが検出素子３７ｂの近傍に存在しない場合にはスイッチがオフ状態となる。貯液部３２ａに貯えられた液体の水位の低下により液体中に浮遊する浮遊体３７ａの位置が検出素子３７ｂの検出範囲外となった場合、検出素子３７ｂのスイッチがオフとなる。また、加湿風誘導部材３１（図７（Ａ）参照）が外れたことにより、浮遊体３７ａの位置が検出素子３７ｂの検出範囲外となった場合にも、検出素子３７ｂのスイッチがオフとなる。
【００５５】
検出基板３７ｃは、検出素子３７ｂを流れる電流値やスイッチのオン／オフ等を検出することにより、浮遊体３７ａが予め定められた検出範囲内にあることを検出する。検出基板３７ｃは、浮遊体３７ａが予め定められた検出範囲内にある場合に、主回路基板４６に設けられた加湿風制御部５２に対して検出信号を出力する。
加湿風制御部５２は、水位センサ３７において浮遊体３７ａが予め定められた検出範囲内にあることが検出されなかった場合に、霧化器３５ａによる液体の霧化を停止させる。浮遊体３７ａが予め定められた検出範囲内にあることが検出されなかった場合とは、貯液部３２ａ内の液体の水位が所定の範囲内になかった場合のみならず、加湿風誘導部材３１が外れており、浮遊体３７ａが検出素子３７ｂの検出範囲よりも上方に位置していた場合も含まれる。加湿風誘導部材３１が外れている場合、電源基板４７等が配置された暖房機１内部に霧が侵入する等の問題が生じるおそれがある。このため、簡易な構成で加湿風誘導部材３１の取り外し時における液体の霧化動作を抑制して、暖房機１の内部への霧の侵入を抑えることが可能となる。
すなわち、水位センサ３７は、加湿風誘導部材３１の取り外しを検知するセンサとしての機能も併せ持つ。
【００５６】
［回路基板］
図４に示すように、暖房機１は、暖房機１の背面側空間１２０（図５（Ｂ）参照）に主回路基板４６と、電源基板４７と、操作回路基板４８とを備えている。
電源基板４７は、電源コード４を介して商用交流電源に接続される。電源基板４７には、交流１００Ｖの商用電源が入力される。電源基板４７は、入力する交流１００Ｖの電圧を所定の電圧値の直流電圧に変換するＡＣ／ＤＣ（交流／直流）コンバータ等を有している。電源基板４７は、暖房機１内の各部に電力を供給する。
【００５７】
図６に示すように、主回路基板４６は、温風の制御を行う温風制御部５１、加湿風の制御を行う加湿風制御部５２を備えている。主回路基板４６は、温風及び加湿風の条件を決定するための情報（後述するルックアップテーブル）等を記憶する記憶部５３を備えている。また、主回路基板４６は、温風制御部５１及び加湿風制御部５２、各種センサの駆動や検出信号の監視を行うセンサ制御部（図示せず）、その他の機能部を制御する制御部（図示せず）を備えている。センサ制御部
で監視されるセンサは、温度センサ４３ａ、湿度センサ４３ｂ、水位センサ３７、人感センサ３ａ、ヒータ用温度センサ４４ａ及び傾斜センサ５０ａ（以下、特定のセンサに限定しない場合は、各種センサと記載する場合がある）である。水位センサ３７は、給液タンク４０内の液体の残量を検出するセンサである。人感センサ３ａは、周囲の人の存在を検知するセンサである。ヒータ用温度センサ４４ａは、ヒータ温度が高くなりすぎたことを検知するセンサである。傾斜センサ５０ａは、暖房機１の傾きが大きくなりすぎたことを検知するセンサである。
【００５８】
温風制御部５１は、温風用ファン２４ａ及びヒータ２３を制御することで温風の風量及び温度等の制御を行う。温風制御部５１は、温風の条件を設定する温風条件設定部５１ａ、ヒータ２３（第１ヒータ要素２３ａ、第２ヒータ要素２３ｂ）を駆動するヒータ通電部５１ｂ及び温風用送風機２４を駆動する温風用駆動信号出力部５１ｃを備えている。温風条件設定部５１ａは、操作部２に対する使用者の操作及び暖房機１が備える各種センサからの情報に基づいて、ヒータ２３及び温風用送風機２４の駆動条件を設定する。ヒータ通電部５１ｂは、温風条件設定部５１ａにおいて設定された駆動条件に基づいて、ヒータ２３に駆動信号を出力する。温風用駆動信号出力部５１ｃは、温風条件設定部５１ａにおいて設定された駆動条件に基づいて、温風用ファン２４ａを回転させるモータ部２４ｂに駆動信号を出力する。
【００５９】
加湿風制御部５２は、加湿風用ファン３８ａを制御することで加湿風の風量の調整を行う。また、加湿風制御部５２は、温風の風量に応じて霧化部３５に含まれる霧化器３５ａを制御することで霧化器３５ａによる単位時間当たりの霧化量を変更して加湿風の湿度の調整を行う。加湿風制御部５２は、加湿風の条件を設定する加湿風条件設定部５２ａ、超音波振動子等の霧化器３５ａを駆動する霧化器用駆動信号出力部５２ｂ及び加湿風用送風機３８を駆動する加湿風用駆動信号出力部５２ｃを備えている。
加湿風条件設定部５２ａは、操作部２に対する使用者の操作及び暖房機１が備える各種センサからの情報に基づいて、超音波振動子等の霧化器３５ａ及び加湿風用送風機３８の駆動条件を設定する。霧化器用駆動信号出力部５２ｂは、加湿風条件設定部５２ａにおいて設定された駆動条件に基づいて、加湿部３２に含まれる超音波振動子等の霧化器３５ａに駆動信号を出力する。加湿風用駆動信号出力部５２ｃは、加湿風条件設定部５２ａにおいて設定された駆動条件に基づいて、加湿風用ファン３８ａを回転させるモータ部２４ｂに駆動信号を出力する
【００６０】
霧化器用駆動信号出力部５２ｂは、液体を霧化する超音波振動子等の霧化器３５ａを連続的に又は間欠的に動作させることにより霧化量の調整を行う。霧化器用駆動信号出力部５２ｂは、霧化器３５ａを間欠的に動作させる場合には、霧化器３５ａの停止時間と動作時間とを設定して霧化器３５ａの動作を制御する。加湿風制御部５２は、霧化器３５ａの停止時間に対する動作時間の比を小さくすることにより、霧化器３５ａによる霧化量を減少させる。
【００６１】
加湿風条件設定部５２ａは、例えば暖房機１が備える各種センサから取得した情報及び記憶部５３に記憶された情報に基づいて、加湿風の条件を決定する。各種センサから取得した情報は、温度センサ４３ａ及び湿度センサ４３ｂから取得した、外部から取り込んだ空気の温度及び湿度である。また、記憶部５３に記憶された情報は、後述するルックアップテーブルである。
加湿風条件設定部５２ａにおける加湿風の条件の決定方法については、後に詳細に説明する。
また、加湿風制御部５２は、加湿風の停止時には、加湿風の流路の内部を乾燥させるために、加湿部３２での霧化を行わない状態で所定時間送風のみを行うように加湿部３２及び加湿風用送風機３８を制御することが好ましい。加湿風が停止される場合としては、室温が低いため加湿風制御部５２によって加湿をオフ状態とすることが判断された場合（詳細は後述する）や、使用者によって操作部２が操作されて加湿がオフ状態とされる場合又は暖房機１の電源がオフ状態とされる場合が挙げられる。また、加湿風が停止される場合としては、水位センサ３７、人感センサ部３、ヒータ用温度センサ４４ａ、傾斜センサ５０ａの検出信号に基づいて、加湿風制御部５２より加湿又は暖房機１の動作を停止することが判定された場合が挙げられる
図５（Ｂ）に示すように、電源基板４７及び主回路基板４６は、基板収容カバー４９に収容された状態で、ミドルパネル４１の背面上部に配置されてねじ止めされることにより、筐体１０の内部空間に固定される。
【００６２】
［加湿風吹出機構の制御方法］
以下、本発明の一実施形態に係る暖房機１における加湿風吹出機構３０の制御方法について、図５及び図１０から図１９を参照して説明する。具体的には、加湿風吹出機構３０の制御方法として、加湿風制御部５２において霧化量の目標値が設定された加湿設定を決定する方法について説明する。
上述の暖房機１により、以下に説明する方法によって決定された加湿条件で加湿を行うことで、加湿風による床濡れを全く発生させずに加湿を行うことが可能となる。
【００６３】
（差分水蒸気量）
まず、本発明の一実施形態に係る暖房機１における加湿風吹出機構３０の制御方法において、加湿設定の設定に用いられる差分水蒸気量について説明する。
本発明の加湿風吹出機構３０の制御方法において用いられる「差分水蒸気量」は、飽和水蒸気量と、単位体積当たりの空気中の水蒸気量との差分の値である。すなわち、「差分水蒸気量」は、現時点での単位体積当たりの空気中の水蒸気量から飽和水蒸気量に達するまでの余力を示している。本発明の一実施形態に係る暖房機１における加湿風吹出機構３０の制御方法では、この「差分水蒸気量」の値に応じて霧化量の目標値を設定して加湿を行う。
【００６４】
飽和水蒸気量（Ｍ１）は、空気の温度に基づいて取得することができる。飽和水蒸気量（Ｍ１）は、予め各温度に対する飽和水蒸気量（Ｍ１）が示された表（後述するルックアップテーブル）から得ることができる。また、飽和水蒸気量（Ｍ１）は、空気の温度に基づいてＴｅｔｅｎｓの計算式から算出してもよい。
また、単位体積当たりの空気中の水蒸気量（絶対湿度Ｈ１）は、空気の温度及び湿度に基づいて取得することができる。空気中の水蒸気量（Ｈ１）は、予め各温度及び各湿度に対する水蒸気量（Ｈ１）が示された表から得ることができる。また、空気中の水蒸気量（Ｈ１）は、空気の温度によって決定される飽和水蒸気量（Ｍ１）と、空気の湿度とに基づいて算出してもよい。
【００６５】
（差分水蒸気量に基づく霧化量目標値の設定）
図１０は、横軸を温度［℃］、縦軸を相対湿度（以下、「湿度」と記載する）［％］とし、各温度及び湿度に対応する単位体積当たりの空気中における差分水蒸気量Ｄ［ｇ／ｍ３］を具体的に記載したルックアップテーブル（以下、「ＬＵＴ」と記載する）である。ＬＵＴは、主回路基板４６に設けられた記憶部５３に記憶されている（図６参照）。差分水蒸気量Ｄは、ＬＵＴを参照することにより得られる。例えば、温度１５℃、湿度５５％の空気中の差分水蒸気量Ｄは、ＬＵＴの温度１５℃、湿度５５％の交点を参照すると、５．７８ｇ／ｍ３であることが分かる。
図１０に示すＬＵＴには、差分水蒸気量Ｄに応じて設定０、設定１、設定２及び設定３の４つの領域に区分されている。設定０、設定１、設定２及び設定３は、加湿時の設定を示している。このＬＵＴでは、湿度６０％超の領域を「設定０」、差分水蒸気量Ｄが４．５ｇ／ｍ３以下の領域を「設定１」、差分水蒸気量Ｄが４．５ｇ／ｍ３超１１．０ｇ／ｍ３以下の領域を「設定２」、差分水蒸気量Ｄが１１．０ｇ／ｍ３超の領域を「設定３」と区分している。すなわち、図１０に示すＬＵＴでは、設定１と設定２との閾値は差分水蒸気量Ｄ＝４．５ｇ／ｍ３に設定され、設定２と設定３との閾値は差分水蒸気量Ｄ＝１１．０ｇ／ｍ３に設定されている。
【００６６】
また、ＬＵＴでは、設定０、設定１、設定２及び設定３のそれぞれに、霧化量目標値が設定されている。なお、霧化量目標値は、目標とする霧化量設定値であり、霧化器３５ａ（図７（Ａ）参照）の動作によって得られる実際の霧化量とは異なる場合がある。例えば、設定０における霧化量目標値Ｕ０は３０ｍｌ／ｈ、設定１における霧化量目標値Ｕ１は１５０ｍｌ／ｈ、設定２における霧化量目標値Ｕ２は３００ｍｌ／ｈ、設定３における霧化量目標値Ｕ３は６００ｍｌ／ｈに設定されている。
したがって、例えば室内の空気の温度が１５℃、湿度が５５％の場合には、ＬＵＴを参照することにより設定２（霧化量目標値Ｕ２＝３００ｍｌ／ｈ）で加湿されることとなる。
なお、加湿時の設定は、図１０に示すＬＵＴのような４つの設定（設定０、設定１、設定２及び設定３）に限られない。
【００６７】
（暖房機１における霧化量の制御）
図６に示すように、本発明の一実施形態に係る暖房機１では、主回路基板４６に設けられた加湿風制御部５２は、温度センサ４３ａからの温度検出信号と、湿度検出部である湿度センサ４３ｂからの湿度検出信号とに基づいて、外部から取り込んだ空気の温度及び湿度を検出する。加湿風制御部５２は、外部から取り込んだ空気の温度及び湿度とＬＵＴとに基づいて、加湿時の設定（設定０、設定１、設定２又は設定３のいずれか）を決定する。加湿風制御部５２は、決定された加湿設定における霧化量目標値に応じて、霧化器３５ａを連続的に又は間欠的に動作させることにより霧化量の調整を行う。霧化器３５ａが間欠動作する場合、加湿風制御部５２は、霧化器３５ａの停止時間に対する動作時間の比を小さくすることにより、霧化量を減少させる。
【００６８】
記憶部５３は、暖房機１の動作条件に応じて異なる複数のＬＵＴを記憶している。以下、複数のＬＵＴについてそれぞれ説明する。
図１１は、第１のルックアップテーブル（ＬＵＴ１）の模式図であり、具体的な湿度、温度及び差分水蒸気量Ｄの記載を省略している。ＬＵＴ１は、暖房機１において温風吹出機構２０の動作が行われており、且つ加湿風吹出機構３０（図６、図７（Ａ）参照）の動作が「強」設定で行われる場合に用いられる。
図１２は、第２のルックアップテーブル（ＬＵＴ２）の模式図であり、具体的な湿度、温度及び差分水蒸気量Ｄの記載を省略している。ＬＵＴ２は、暖房機１において温風吹出機構２０の動作が行われており、且つ加湿風吹出機構３０の動作が「弱」設定で行われる場合に用いられる。
【００６９】
図１３は、第３のルックアップテーブル（ＬＵＴ３）の模式図であり、具体的な湿度、温度及び差分水蒸気量Ｄの記載を省略している。ＬＵＴ３は、暖房機１において温風吹出機構２０の動作が行われていない（すなわち温風が吹き出されていない）場合に用いられる。
ＬＵＴ１、ＬＵＴ２及びＬＵＴ３では、横軸が温度、縦軸が湿度を示している。
図１１、図１２及び図１３から分かるように、ＬＵＴ１、ＬＵＴ２及びＬＵＴ３のそれぞれを参照して加湿設定を判定する場合、同じ差分水蒸気量Ｄであっても設定が異なる場合がある。
【００７０】
以下、ＬＵＴ１、ＬＵＴ２及びＬＵＴ３についてそれぞれ説明する。ＬＵＴ１、ＬＵＴ２及びＬＵＴ３には、設定０、設定１、設定２、設定３、設定ＯＦＦのいずれかが示されている。設定１では、霧化量目標値Ｕ１が１５０ｍｌ／ｈに設定され、設定２では霧化量目標値Ｕ２が３００ｍｌ／ｈに設定され、設定３では霧化量目標値Ｕ３が６００ｍｌ／ｈに設定されているものとする。また、設定０では、霧化量目標値Ｕ０が霧化量目標値Ｕ１よりも小さい３０ｍｌ／ｈに設定されているものとする。
ここで、設定１、２及び３は、霧化量目標値がそれぞれ異なっており、設定３、設定２、設定１の順に加湿効果が高くなっている。設定０は、室内の湿度が目標湿度に達している場合の設定である。設定０は、ユーザに加湿風吹出機構３０（図６参照）の故障と勘違いさせないために、霧化量をごく少量として加湿風吹出機構３０を動作させる設定である。設定０は、「霧見せモード」と記載する場合がある。設定ＯＦＦは、加湿風の吹き出しを行わない設定である。
【００７１】
（第１の例）
図１１に示すＬＵＴ１は、上述した通り、暖房機１において温風の吹き出しが行われており、且つ加湿風吹出機構３０の動作が「強」設定で行われる場合に用いられるテーブルである。ＬＵＴ１は、主回路基板４６に設けられた記憶部５３（図６参照）に記憶されている。ＬＵＴ１では、設定０、設定１、設定２及び設定３の４つの設定が示されている。ＬＵＴ１を用いる場合の最大霧化量目標値は、設定３における霧化量目標値Ｕ３＝６００ｍｌ／ｈである。
ＬＵＴ１には、実線で示される湿度の閾値Ｘ１と、破線で示される湿度の閾値Ｘ２が記載されている。また、ＬＵＴ１には、実線で示される差分水蒸気量Ｄの閾値Ｙ１、Ｚ１と、破線で示される差分水蒸気量Ｄの閾値Ｙ２，Ｚ２が示されている。
【００７２】
このうち、実線で示される閾値Ｘ１，Ｙ１，Ｚ１は、霧化量目標値を増加させるような設定の変更を行う際の基準となる増加時閾値である。例えば、閾値Ｘ１は、加湿設定を設定０から設定１、２，３のいずれかに変更する場合の増加時閾値である。閾値Ｙ１は、加湿設定を設定１から設定２に変更する場合の増加時閾値である。閾値Ｚ１は、加湿設定を設定２から設定３又は設定１から設定３に変更する場合の増加時閾値である。
また、破線で示される閾値Ｘ２，Ｙ２，Ｚ２は、霧化量目標値を減少させるような設定の変更を行う際の基準となる減少時閾値である。例えば、閾値Ｘ２は、加湿設定を設定１、２，３のいずれかから設定０に変更する場合の減少時閾値である。閾値Ｙ２は、加湿設定を設定２から設定１に変更する場合の減少時閾値である。閾値Ｚ２は、加湿設定を設定３から設定２又は設定３から設定１に変更する場合の減少時閾値である。増加時閾値Ｘ１と減少時閾値Ｘ２は、異なる数値が設定されている（Ｘ１＜Ｘ２）。増加時閾値Ｙ１と減少時閾値Ｙ２及び増加時閾値Ｚ１と減少時閾値Ｚ２は、それぞれ異なる数値が設定されている（Ｙ１＞Ｙ２、Ｚ１＞Ｚ２）。
【００７３】
例えば、現在の加湿設定が設定１であり、新たな加湿設定を設定２に変更する場合の閾値は、実線で示される増加時閾値Ｙ１である。また、現在の加湿設定が設定２であり、新たな加湿設定を設定１に変更する場合の閾値は、破線で示される減少時閾値Ｙ２（Ｙ２＜Ｙ１）である。このため、所定時間毎に温度センサ４３ａ及び湿度センサ４３ｂ（図６参照）で検出される検出温度Ｔ１及び検出湿度Ｈに対応する差分水蒸気量Ｄが閾値近辺でふらつく場合であっても、霧化量目標値の増加時と減少時で異なる閾値（例えば増加時閾値Ｙ１，減少時閾値Ｙ２）を用いたヒステリシス制御を行うことができる。このため、頻繁に設定が変更されるチャタリングを防止することができる。
また、加湿設定が設定１，２，３の何れかから設定０に変更される場合の閾値（減少時閾値）は湿度Ｘ２％に規定されており、差分水蒸気量Ｄによらない。このため、湿度センサ４３ｂ（図６参照）によって検出された検出湿度Ｈが閾値（Ｘ２％）以上である場合には、差分水蒸気量Ｄを算出することなく、湿度に基づいて設定０が選択される。
【００７４】
（第２の例）
図１２に示すＬＵＴ２は、暖房機１において温風吹出機構２０の動作が行われており、且つ加湿風吹出機構３０の動作が「弱」設定で行われる場合に用いられるテーブルである。ＬＵＴ２は、主回路基板４６に設けられた記憶部５３（図６参照）に記憶されている。ＬＵＴ２では、設定０、設定１及び設定２の３つの設定が示されている。ＬＵＴ２では、図１１に示すＬＵＴ１の設定１及び設定２を合わせた領域が設定１とされ、ＬＵＴ１の設定３の領域が設定２とされている。すなわち、ＬＵＴ２を用いる場合の最大霧化量目標値は、設定２における霧化量目標値Ｕ２＝３００ｍｌ／ｈである。これに対して、ＬＵＴ１を用いる場合の最大霧化量目標値は設定３における霧化量目標値Ｕ３＝６００ｍｌ／ｈである。このため、加湿風吹出機構３０の動作が「弱」設定で行われる場合には、加湿風吹出機構３０の動作が「強」設定で行われる場合と比較して霧化量目標値の上限が低く設定される。
【００７５】
ＬＵＴ２には、実線で示される湿度の閾値Ｘ１と、破線で示される湿度の閾値Ｘ２が記載されている。また、ＬＵＴ２には、実線で示される差分水蒸気量Ｄの閾値Ｚ１と、破線で示される差分水蒸気量Ｄの閾値Ｚ２が示されている。
このうち、実線で示される閾値Ｘ１及び閾値Ｚ１は増加時閾値であり、破線で示される閾値Ｘ２及び閾値Ｚ２は減少時閾値である。増加時閾値Ｘ１と減少時閾値Ｘ２は、異なる数値が設定されている（Ｘ１＜Ｘ２）。増加時閾値Ｚ１と減少時閾値Ｚ２は、それぞれ異なる数値が設定されている（Ｚ１＞Ｚ２）。したがって、ＬＵＴ２を用いる場合においても、霧化量目標値の増加時と減少時で異なる閾値（例えば増加時閾値Ｚ１，減少時閾値Ｚ２）を用いたヒステリシス制御を行うことができる。
【００７６】
（第３の例）
図１３に示すＬＵＴ３は、暖房機１において温風吹出機構２０の動作が行われていない（すなわち温風が吹き出されていない）場合に用いられるテーブルである。ＬＵＴ３は、主回路基板４６に設けられた記憶部５３（図６参照）に記憶されている。ＬＵＴ３では、設定ＯＦＦ、設定０、設定１及び設定２の４つの設定が示されている。ＬＵＴ３では、図１２に示すＬＵＴ２の設定０及び設定１のうち、検出温度Ｔ１が所定温度の閾値Ｓ以下となる領域が、加湿動作を行わない設定ＯＦＦとされている。すなわち、ＬＵＴ３を用いる場合の最小霧化量目標値は、設定ＯＦＦにおける０ｍｌ／ｈである。このため、温風吹出機構２０の動作が行われない場合には、温風吹出機構２０の動作が行われる場合と比較して霧化量目標値の下限がより低く設定される。
【００７７】
ＬＵＴ３は、暖房機１において温風吹出機構２０の動作が行われておらず、室内の空気の温度が非常に低い環境下で加湿風吹出機構３０の動作が行われる場合がある。この場合、室内の空気の温度が非常に低く飽和水蒸気量が減少するため、加湿風に含まれる霧が気化する前に床に落下して床濡れが発生しやすくなる。また、温風吹出機構２０の動作が行われていないことで、加湿風吹出口３１ａから吹出される加湿風の下方において、温風吹出口２１からの温風の吹き出しがない。このため、加湿風吹出口３１ａから吹出された加湿風が温風吹出口２１から吹出された温風によって拡散されなくなる。ＬＵＴ３は、温風の吹き出しを停止させた状態において、温度センサ４３ａ（図６参照）で検出された検出温度Ｔ１が所定温度Ｓ以下の場合に、加湿風の吹き出しを停止させる制御を行う場合のテーブルである。ＬＵＴ３に基づいて加湿風吹出機構３０を制御することにより、温風の吹き出しを停止させた状態においても床濡れが防止される。
【００７８】
なお、ＬＵＴ３において、閾値Ｓの代わりに、加湿設定を設定ＯＦＦから設定１又は設定０に変更する場合の増加時閾値Ｓ１と、加湿設定を設定１又は設定０から設定ＯＦＦに変更する場合の減少時閾値Ｓ２（Ｓ２＜Ｓ１）を設定してもよい。この場合、所定時間毎に検出される検出温度Ｔ１が閾値近辺でふらつく場合であっても、霧化量目標値の増加時と減少時で異なる閾値（例えば増加時閾値Ｓ１，減少時閾値Ｓ２）を用いたヒステリシス制御を行うことができる。このため、頻繁に設定が変更されるチャタリングを防止することができる。
加湿風制御部５２は、ヒータ２３の動作電力や設定された加湿強度に応じて、異なる基準（ＬＵＴ１、ＬＵＴ２及びＬＵＴ３）で霧化量目標値を決定する。
【００７９】
次に、本発明の暖房機１における加湿制御を、図６及び図１４から図１８を参照して詳細に説明する。図１４から図１８は、ＬＵＴ１に示す閾値（図１１参照）を用いた場合の加湿設定の決定方法を説明するフローチャートである。図１４から図１８のフローチャートに示す処理は、図６に示す加湿風条件設定部５２ａにおいて実行される。図１４から図１８は、加湿風制御部５２による制御を示す。
また、加湿風条件設定部５２ａにおいて設定される各加湿設定における霧化量目標値は、それぞれ設定０において霧化量目標値Ｕ０＝３０ｍｌ／ｈ、設定１において霧化量目標値Ｕ１＝１５０ｍｌ／ｈ、設定２において霧化量目標値Ｕ２＝３００ｍｌ／ｈ、設定３において霧化量目標値Ｕ３＝６００ｍｌ／ｈであるものとする。
【００８０】
図１４は、加湿風条件設定部５２ａにおいて実行される１回の加湿設定の決定処理を示すフローチャートである。図１４に示すフローチャートは、主回路基板４６に設けられた記憶部５３に記憶されたＬＵＴ１を用いて霧化量目標値を決定する場合の加湿風条件設定部５２ａにおける処理を示している。また、主回路基板４６の記憶部５３には、暖房機１の電源をＯＮ状態とした際に、予め現在の加湿設定として「設定１」が記憶されているものとする。
【００８１】
まず、暖房機１の電源がＯＮされると、温風制御部５１の温風用駆動信号出力部５１ｃの制御により、温風吹出機構２０の温風用ファン２４ａの回転が開始される。これにより、暖房機１の温風用空気取込口１３ａ（図２（Ｄ）参照）から空気が取り込まれる。続いて、温風制御部５１のヒータ通電部５１ｂの制御により、ヒータ２３（第１ヒータ要素２３ａ及び第２ヒータ要素２３ｂ）が通電される。これにより、温風吹出機構２０内に取り込まれた空気がヒータ２３によって暖められて、温風吹出口２１（図１参照）から温風として吹き出される。
【００８２】
また、暖房機１の電源がＯＮされると、加湿風制御部５２の加湿風用駆動信号出力部５２ｃの制御により、加湿風吹出機構３０の加湿風用ファン３８ａの回転が開始される。これにより、暖房機１のボトムパネル１４に設けられた加湿風用空気取込口１４ａ及びフロントパネル１１に設けられた加湿風用空気取込口１１ｇ（図２（Ｂ）、図２（Ｆ）参照）から空気が取り込まれる。
続いて、センサ制御部（図示せず）の制御により、温度センサ４３ａ及び湿度センサ４３ｂがＯＮ状態となり、加湿風用空気取込口１４ａ及び加湿風用空気取込口１１ｇから取り込まれた空気の温度及び湿度の検出を行う。センサ制御部は、温度センサ４３ａ及び湿度センサ４３ｂにより検出された検出温度Ｔ１及び検出湿度Ｈの検出値（温度検出値及び湿度検出値）を、加湿風制御部５２の加湿風条件設定部５２ａに入力する。
【００８３】
加湿風条件設定部５２ａは、湿度センサ４３ｂによって検出された検出湿度Ｈの検出値（湿度検出値）が入力されると（ステップＳ１１）、検出湿度ＨがＸ２％（図１１のＬＵＴ１参照）以上であるか否かを判断する（ステップＳ１２）。ステップＳ１２において、加湿風条件設定部５２ａが、検出湿度ＨがＸ２％以上であると判断した場合には（ステップＳ１２のＹｅｓ）、処理がステップＳ１７に移行する。ステップＳ１７において、加湿風条件設定部５２ａは、設定０の「霧見せモード」で加湿風の制御を行うことを決定し、記憶部５３に現在の加湿設定として「設定０」を記憶させる。以上により、図１４の処理を終了する。
【００８４】
この後、図６に示す霧化器用駆動信号出力部５２ｂは、記憶部５３に設定された加湿設定「設定０」に基づいて霧化器３５ａの制御部（図示せず）に対して駆動信号を出力し、霧化器３５ａを動作させる。霧化器用駆動信号出力部５２ｂは、「設定０」と対応付けて設定された動作時間及び停止時間で加湿部３２内の霧化器３５ａを間欠動作させる。「設定０」に対応付けて設定された動作時間及び停止時間は、霧化器３５ａを間欠動作させた場合の霧化量が霧化量目標値Ｕ０＝３０ｍｌ／ｈに近づくように設定されている。また、加湿風用駆動信号出力部５２ｃは、モータ部３８ｂを制御する制御部（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。また、暖房機１の電源をＯＦＦ状態とする際には、記憶部５３に加湿設定「設定１」が記憶される。
なお、上述の例では、暖房機１の電源をＯＮ状態とした際には、現在の加湿設定として「設定１」が使用される例を示している。しかしながら、暖房機１の電源をＯＮ状態とした際に、前回暖房機１の電源をＯＦＦ状態とした際に記憶部５３が記憶している加湿設定を読み出して、現在の加湿設定としてもよい。
【００８５】
ステップＳ１２において、加湿風条件設定部５２ａが、検出湿度ＨがＸ２％以上ではないと判断した場合には（ステップＳ１２のＮｏ）、処理がステップＳ１３に移行する。加湿風条件設定部５２ａは、温度センサ４３ａによって検出された検出温度Ｔ１の検出値（温度検出値）が入力されると（ステップＳ１３）、検出温度Ｔ１及び検出湿度Ｈに対応する差分水蒸気量Ｄを決定する（ステップＳ１４）。このとき、加湿風条件設定部５２ａは、ＬＵＴ１を参照して差分水蒸気量Ｄを決定する。また、加湿風条件設定部５２ａは、記憶部５３に記憶された現在の加湿設定（設定０、設定１、設定２、設定３のいずれか）を読み出す（ステップＳ１５）。ステップＳ１５において、暖房機１の電源投入直後は、記憶部５３に予め記憶された「設定１」が読み出され、暖房機１の動作中における２回目以降の加湿設定確認時には、前回の加湿設定決定処理時に記憶された加湿設定が読み出される。
最後に、加湿風条件設定部５２ａは、記憶部５３から読み出した「現在の加湿設定」に対応する閾値に基づいて、新たな加湿設定（設定１、設定２、設定３のいずれか）を決定する（ステップＳ１６）。加湿風条件設定部５２ａは、新たに決定された加湿設定（設定１、設定２、設定３のいずれか）を現在の加湿設定として記憶部５３に記憶させる。以上により、加湿風条件設定部５２ａにおける加湿設定の決定処理が終了する。
なお、ステップＳ１５において現在の加湿設定を確認するのは、現在どの加湿設定で加湿が行われているかによって各設定間の閾値が変化するためである（図１１における増加時閾値Ｙ１，Ｚ１及び減少時閾値Ｙ２，Ｚ２）。このため、ステップＳ１６における新たな加湿設定の決定に当たって、まず現在どの加湿設定で加湿が行われているかを確認する必要がある。
【００８６】
この後、図６に示す霧化器用駆動信号出力部５２ｂは、記憶部５３に記憶された新たな加湿設定に基づいて霧化器３５ａの制御部（図示せず）に対して駆動信号を出力し、霧化器３５ａを動作させる。霧化器用駆動信号出力部５２ｂは、記憶部５３から読み出された加湿設定と対応付けて設定された動作時間及び停止時間で加湿部３２内の霧化器３５ａを間欠動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【００８７】
さらに、暖房機１の動作中において、温度センサ４３ａ及び湿度センサ４３ｂは、所定の周期で加湿風用空気取込口１４ａ及び加湿風用空気取込口１１ｇから取り込まれた空気の温度及び湿度の検出を行う。加湿風制御部５２の加湿風条件設定部５２ａは、温度センサ４３ａ及び湿度センサ４３ｂにより検出された検出温度Ｔ１及び検出湿度Ｈに基づいて、ステップＳ１１からＳ１６又はステップＳ１１、ステップＳ１２及びステップＳ１７の処理を繰り返し、新たな加湿設定を行う。また、加湿風制御部５２の霧化器用駆動信号出力部５２ｂ及び加湿風用駆動信号出力部５２ｃは、加湿風条件設定部５２ａにより設定された加湿設定に応じて、加湿部３２の霧化器３５ａ及び加湿風用ファン３８ａのそれぞれを駆動し、加湿風を吹き出す。
【００８８】
次に、図１４のステップＳ１６に示す新たな加湿設定の決定方法について、記憶部５３から読み出した「現在の加湿設定」毎に詳細に説明する。
（「設定０」の場合の新たな加湿設定の決定方法）
図１５は、記憶部５３から読み出した現在の加湿設定が「設定０」であった場合にステップＳ１６において実行される処理の流れを示すフローチャートである。なお、図１１のＬＵＴ１に示すように、現在の加湿設定が「設定０」の場合、新たな加湿設定が設定１へ移行する際の湿度の閾値は、検出湿度＝Ｘ１％である。現在の加湿設定が「設定０」であって、検出湿度がＸ１％以下となった場合には、差分水蒸気量Ｄに関わらず、「設定１」に移行するものとする。これにより、霧化量を急激に増大させることなく加湿を行うことができる。
【００８９】
図１５に示すように、加湿風条件設定部５２ａは、ステップＳ１１（図１４参照）において入力された検出湿度ＨがＸ１％以下であるか否かを判断する（ステップＳ２１）。ステップＳ２１において、加湿風条件設定部５２ａが、検出湿度ＨがＸ１％以下であると判断しなかった場合には（ステップＳ２１のＮｏ）、処理がステップＳ２３に移行する。ステップＳ２３において、加湿風条件設定部５２ａは、「設定０」での制御を継続して行うことを決定し、記憶部５３に現在の加湿設定として引き続き「設定０」を記憶させる。以上により、図１５の処理を終了するとともに、図１４の処理も終了する。
この後、霧化器用駆動信号出力部５２ｂは、記憶部５３に記憶された加湿設定（「設定０」、霧化量目標値Ｕ１＝５０ｍｌ／ｈ）に基づいて霧化器３５ａの制御部（図示せず）に対して駆動信号を出力し、霧化器３５ａを動作させる。霧化器用駆動信号出力部５２ｂは、記憶部５３から読み出された加湿設定（「設定０」）と対応付けて設定された動作時間及び停止時間で加湿部３２内の霧化器３５ａを間欠動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【００９０】
また、ステップＳ２１において、加湿風条件設定部５２ａが検出湿度ＨがＸ１％以下であると判断した場合には（ステップＳ２１のＹｅｓ）、処理がステップＳ２２に移行する。ステップＳ２２において、加湿風条件設定部５２ａは、「設定１」で加湿風の制御を行うことを決定し、記憶部５３に現在の加湿設定として「設定１」を記憶させる。以上により、図１５の処理を終了するとともに、図１４の処理も終了する。
この後、霧化器用駆動信号出力部５２ｂは、記憶部５３に記憶された加湿設定（設定１、霧化量目標値Ｕ１＝１５０ｍｌ／ｈ）に基づいて霧化器３５ａの制御部（図示せず）に対して駆動信号を出力し、霧化器３５ａを動作させる。霧化器用駆動信号出力部５２ｂは、記憶部５３から読み出された加湿設定（設定１）と対応付けて設定された動作時間及び停止時間で加湿部３２内の霧化器３５ａを間欠動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【００９１】
（「設定１」の場合の新たな加湿設定の決定方法）
図１６は、記憶部５３から読み出した現在の加湿設定が「設定１」であった場合にステップＳ１６）において実行される処理の流れを示すフローチャートである。なお、図１１のＬＵＴ１に示すように、現在の加湿設定が設定１の場合に、設定１及び設定２並びに設定２及び設定３の閾値は、差分水蒸気量Ｄ＝Ｙ１ｇ／ｍ３、Ｚ１ｇ／ｍ３である。
図１６に示すように、加湿風条件設定部５２ａは、図１４のステップＳ１４で決定した差分水蒸気量ＤがＺ１ｇ／ｍ３を超えるか否かを判断し（ステップＳ３１）、差分水蒸気量ＤがＺ１ｇ／ｍ３を超えると判断した場合には（ステップＳ３１のＹｅｓ）、処理がステップＳ３５に移行する。ステップＳ３５において、加湿風条件設定部５２ａは、「設定３」で加湿風の制御を行うことを決定し、記憶部５３に現在の加湿設定として「設定３」を記憶させる。以上により、図１６の処理を終了するとともに、図１４の処理も終了する。
この後、霧化器用駆動信号出力部５２ｂは、記憶部５３に記憶された加湿設定（設定３、霧化量目標値Ｕ３＝６００ｍｌ／ｈ）に基づいて霧化器３５ａの制御部（図示せず）に対して駆動信号を出力し、霧化器３５ａを動作させる。霧化器用駆動信号出力部５２ｂは、記憶部５３から読み出された加湿設定（設定３）に従って加湿部３２内の霧化器３５ａを連続動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【００９２】
ステップＳ３１において、加湿風条件設定部５２ａが、差分水蒸気量ＤがＺ１ｇ／ｍ３を超えないと判断した場合には（ステップＳ３１のＮｏ）、処理がステップＳ３２に移行し、差分水蒸気量ＤがＹ１ｇ／ｍ３を超えるか否かを判断する。ステップＳ３２において、加湿風条件設定部５２ａが、差分水蒸気量ＤがＹ１ｇ／ｍ３を超えると判断した場合には（ステップＳ３２のＹｅｓ）、処理がステップＳ３４に移行する。ステップＳ３４において、加湿風条件設定部５２ａは、「設定２」で加湿風の制御を行うことを決定し、記憶部５３に現在の加湿設定として「設定２」を記憶させる。以上により、図１６の処理を終了するとともに、図１４の処理も終了する。
この後、霧化器用駆動信号出力部５２ｂは、記憶部５３に記憶された加湿設定（設定２、霧化量目標値Ｕ３＝３００ｍｌ／ｈ）に基づいて霧化器３５ａの制御部（図示せず）に対して駆動信号を出力し、霧化器３５ａを動作させる。霧化器用駆動信号出力部５２ｂは、記憶部５３から読み出された加湿設定（設定２）と対応付けて設定された動作時間及び停止時間で加湿部３２内の霧化器３５ａを間欠動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【００９３】
また、ステップＳ３２において、加湿風条件設定部５２ａが、差分水蒸気量ＤがＹ１ｇ／ｍ３を超えないと判断した場合には（ステップＳ３２のＮｏ）、処理がステップＳ３３に移行する。ステップＳ３３において、加湿風条件設定部５２ａは、「設定１」での加湿風の制御を継続して行うことを決定し、記憶部５３に現在の加湿設定として引き続き「設定１」を記憶させる。以上により、図１６の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ２２の場合と同様であるため、記載を省略する。
【００９４】
（「設定２」の場合の新たな加湿設定の決定方法）
図１７は、記憶部５３から読み出した現在の加湿設定が「設定２」であった場合にステップＳ１６において実行される処理の流れを示すフローチャートである。なお、図１１のＬＵＴ１に示すように、現在の加湿設定が設定２の場合に、設定１及び設定２並びに設定２及び設定３の閾値は、差分水蒸気量Ｄ＝Ｙ２ｇ／ｍ３、Ｚ１ｇ／ｍ３である。
図１７に示すように、加湿風条件設定部５２ａは、図１４のステップＳ１４で決定した差分水蒸気量ＤがＺ１ｇ／ｍ３を超えるか否かを判断し（ステップＳ４１）、差分水蒸気量ＤがＺ１ｇ／ｍ３を超えると判断された場合には（ステップＳ４１のＹｅｓ）、処理がステップＳ４５に移行する。ステップＳ４５において、加湿風条件設定部５２ａは、「設定３」で加湿風の制御を行うことを決定し、記憶部５３に現在の加湿設定として「設定３」を記憶させる。以上により、図１７の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ３５の場合と同様であるため、記載を省略する。
【００９５】
ステップＳ４１において、加湿風条件設定部５２ａが、差分水蒸気量ＤがＺ１ｇ／ｍ３を超えないと判断した場合には（ステップＳ４１のＮｏ）、処理がステップＳ４２に移行し、差分水蒸気量ＤがＹ２ｇ／ｍ３以下であるか否かを判断する。ステップＳ４２において、加湿風条件設定部５２ａが、差分水蒸気量ＤがＹ２ｇ／ｍ３以下であると判断した場合には（ステップＳ４２のＹｅｓ）、処理がステップＳ４４に移行する。ステップＳ４４において、加湿風条件設定部５２ａは、「設定１」で加湿風の制御を行うことを決定し、記憶部５３に現在の加湿設定として「設定１」を記憶させる。以上により、図１７の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ２２の場合と同様であるため、記載を省略する。
ステップＳ４２において、加湿風条件設定部５２ａが、差分水蒸気量ＤがＹ２ｇ／ｍ３以下ではないと判断した場合には（ステップＳ４２のＮｏ）、処理がステップＳ４３に移行する。ステップＳ４３において、加湿風条件設定部５２ａは、「設定２」での加湿風の制御を継続して行うことを決定し、記憶部５３に現在の加湿設定として引き続き「設定２」を記憶させる。以上により、図１７の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ３４の場合と同様であるため、記載を省略する。
【００９６】
（「設定３」の場合の新たな加湿設定の決定方法）
図１８は、記憶部５３から読み出した現在の加湿設定が「設定３」であった場合にステップＳ１６において実行される処理の流れを示すフローチャートである。なお、図１１のＬＵＴ１に示すように、現在の加湿設定が設定３の場合、設定１及び設定２並びに設定２及び設定３の閾値は、差分水蒸気量Ｄ＝Ｙ２ｇ／ｍ３、Ｚ２ｇ／ｍ３である。
図１８に示すように、加湿風条件設定部５２ａは、図１４のステップＳ１４で決定した差分水蒸気量ＤがＹ２ｇ／ｍ３以下であるか否かを判断し（ステップＳ５１）、差分水蒸気量ＤがＹ２ｇ／ｍ３以下であると判断した場合には（ステップＳ５１のＹｅｓ）、処理がステップＳ５５に移行する。ステップＳ５５において、加湿風条件設定部５２ａは、「設定１」で加湿風の制御を行うことを決定し、記憶部５３に現在の加湿設定として「設定１」を記憶させる。以上により、図１８の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ２２の場合と同様であるため、記載を省略する。
【００９７】
ステップＳ５１において、加湿風条件設定部５２ａが、差分水蒸気量ＤがＹ２ｇ／ｍ３以下ではないと判断した場合には（ステップＳ５１のＮｏ）、処理がステップＳ５２に移行し、差分水蒸気量ＤがＺ２ｇ／ｍ３以下であるか否かを判断する。ステップＳ５２において、加湿風条件設定部５２ａが、差分水蒸気量ＤがＺ２ｇ／ｍ３以下であると判断した場合には（ステップＳ５２のＹｅｓ）、処理がステップＳ５４に移行する。ステップＳ５４において、加湿風条件設定部５２ａは、「設定２」で加湿風の制御を行うことを決定し、記憶部５３に現在の加湿設定として「設定２」を記憶させる。以上により、図１８の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ３４の場合と同様であるため、記載を省略する。
ステップＳ５２において、加湿風条件設定部５２ａが、差分水蒸気量ＤがＺ２ｇ／ｍ３以下であると判断しなかった場合には（ステップＳ５２のＮｏ）、処理がステップＳ５３に移行する。ステップＳ５２において、加湿風条件設定部５２ａは、「設定３」での加湿風の制御を継続して行うことを決定し、記憶部５３に現在の加湿設定として引き続き「設定３」を記憶させる。以上により、図１８の処理を終了するとともに、図１４の処理も終了する。なお、この後の霧化器用駆動信号出力部５２ｂによる霧化器３５ａの制御及び加湿風用駆動信号出力部５２ｃによる加湿風用ファン３８ａの制御は、ステップＳ３５の場合と同様であるため、記載を省略する。
【００９８】
以上のようにして、ＬＵＴ１を用いて加湿条件が決定される。
なお、図１４から図１８を用いて説明した方法では、湿度検出値及び差分水蒸気量Ｄを閾値と比較して加湿設定を決定しているが、ＬＵＴ１を参照して差分水蒸気量Ｄがどの加湿設定の領域に存在するかを判断し、新たな加湿設定を決定してもよい。
【００９９】
次に、本発明の暖房機１における加湿制御を、図６及び図１９を用いて説明する。図１９は、ＬＵＴ３に示す閾値（図１３参照）を用いた場合の加湿設定の決定処理を示すフローチャートである。図１９に示すフローチャートは、主回路基板４６に設けられた記憶部５３に記憶されたＬＵＴ３を用いて霧化量目標値を決定する場合の加湿風条件設定部５２ａにおける処理を示している。また、主回路基板４６の記憶部５３には、予め現在の加湿設定として「設定１」が記憶されているものとする。
【０１００】
以下、図６及び図１９を参照して、加湿設定の決定処理を説明する。
暖房機１の電源がＯＮされてから、温度センサ４３ａ及び湿度センサ４３ｂにより検出された検出温度Ｔ１及び検出湿度Ｈの検出値（温度検出値及び湿度検出値）が、加湿風制御部５２の加湿風条件設定部５２ａに入力される処理については、図１４に示すフローチャートで記載した流れと同一であるため、説明を省略する。
図１９に示すように、加湿風条件設定部５２ａは、温度センサ４３ａによって検出された検出温度Ｔ１の検出値（温度検出値）が入力されると（ステップＳ６１）、検出温度Ｔ１がＳ℃（図１３のＬＵＴ３参照）以上であるか否かを判断する（ステップＳ６２）。ステップＳ６２において、加湿風条件設定部５２ａが、検出温度Ｔ１がＳ℃以上ではないと判断された場合には（ステップＳ６２のＮｏ）、処理がステップＳ６９に移行する。ステップＳ６９において、加湿風条件設定部５２ａは、加湿風吹出機構３０の動作をＯＦＦすることを決定し、記憶部５３に現在の加湿設定として「設定ＯＦＦ」を記憶させる。以上により、図１９の処理を終了する。
【０１０１】
この後、図６に示す霧化器用駆動信号出力部５２ｂは、記憶部５３に設定された加湿設定「設定ＯＦＦ」に基づいて霧化器３５ａに対する駆動信号の出力を停止し、霧化器３５ａの動作を停止させる。また、加湿風用駆動信号出力部５２ｃは、モータ部３８ｂを制御する制御部（図示せず）に対する駆動信号の出力を停止して、加湿風用ファン３８ａの回転を停止させる。これにより、加湿風吹出口３１ａ（図１参照）からの加湿風の吹き出しが停止される。
【０１０２】
一方、ステップＳ６２において、加湿風条件設定部５２ａが、検出温度Ｔ１がＳ℃以上であると判断した場合には（ステップＳ６２のＹｅｓ）、処理がステップＳ６３に移行する。ステップＳ６３において、加湿風条件設定部５２ａは、湿度センサ４３ｂによって検出された検出湿度Ｈの検出値（湿度検出値）が入力されると、検出湿度ＨがＸ２％（図１３のＬＵＴ３参照）以上であるか否かを判断する（ステップＳ６４）。ステップＳ６４において、加湿風条件設定部５２ａが、検出湿度ＨがＸ２％以上であると判断した場合には（ステップＳ６４のＹｅｓ）、処理がステップＳ６８に移行する。ステップＳ６８において、加湿風条件設定部５２ａは、設定０の「霧見せモード」で加湿風の制御を行うことを決定し、記憶部５３に現在の加湿設定として「設定０」を記憶させる。
なお、この後の霧化器用駆動信号出力部５２ｂによる霧化器３５ａの制御及び加湿風用駆動信号出力部５２ｃによる加湿風用ファン３８ａの制御は、ステップＳ１７の場合と同様であるため、記載を省略する。
【０１０３】
ステップＳ６４において、加湿風条件設定部５２ａが、検出湿度ＨがＸ２％以上でないと判断した場合には（ステップＳ６４のＮｏ）、処理がステップＳ６５に移行し、検出温度Ｔ１及び検出湿度Ｈに対応する差分水蒸気量Ｄを決定する。このとき、加湿風条件設定部５２ａは、ＬＵＴ３を参照して差分水蒸気量Ｄを決定する。また、加湿風条件設定部５２ａは、記憶部５３に記憶された現在の加湿設定（設定０、設定１、設定２、設定３のいずれか）を読み出す（ステップＳ６６）。ステップＳ６６において、暖房機１の電源投入直後は、加湿風条件設定部５２ａは、記憶部５３に予め記憶された「設定１」を読み出す。また、加湿風条件設定部５２ａは、暖房機１の動作中における２回目以降の加湿設定確認時には、前回の加湿設定決定処理時に記憶された加湿設定を読み出す。
【０１０４】
最後に、加湿風条件設定部５２ａは、記憶部５３から読み出した「現在の加湿設定」に対応する閾値に基づいて、新たな加湿設定（設定１、設定２、設定３のいずれか）を決定する（ステップＳ６７）。加湿風条件設定部５２ａは、新たに決定された加湿設定（設定１、設定２、設定３のいずれか）を現在の加湿設定として記憶部５３に記憶させる。ステップＳ６７における新たな加湿設定の決定霧化量は、図１５から図１８で示される各設定に対応した加湿設定の決定方法によって決定される。
【０１０５】
この後、図６に示す霧化器用駆動信号出力部５２ｂは、記憶部５３に記憶された新たな加湿設定に基づいて霧化器３５ａの制御部（図示せず）に対して駆動信号を出力し、霧化器３５ａを動作させる。霧化器用駆動信号出力部５２ｂは、記憶部５３から読み出された加湿設定と対応付けて設定された動作時間及び停止時間で加湿部３２内の霧化器３５ａを間欠動作させる。また、加湿風用駆動信号出力部５２ｃは、モータ部３８ｂの制御回路（図示せず）に対して駆動信号を出力して、加湿風用ファン３８ａを回転させる。これにより、外部から取り込まれた空気を加湿部３２で加湿した加湿風が、加湿風吹出口３１ａ（図１参照）から吹き出される。
【０１０６】
上述した第１の例で示すＬＵＴ１は、暖房機１において温風吹出機構２０の動作が行われており、且つ加湿風吹出機構３０の動作が「強」設定で行われる場合のテーブルである。また、第２の例で示すＬＵＴ２は、暖房機１において温風吹出機構２０の動作が行われており、且つ加湿風吹出機構３０の動作が「弱」設定で行われる場合のテーブルである。さらに、第３の例は、暖房機１において温風吹出機構２０の動作が行われておらず、加湿風吹出機構３０の動作のみが行われる場合のテーブルである。
加湿風制御部５２は、ヒータ２３の動作電力や設定された加湿強度に応じて、異なる基準（ＬＵＴ１、ＬＵＴ２及びＬＵＴ３）で霧化量目標値を決定する。
加湿の設定が「強」の場合（第１の例で示すＬＵＴ１）、霧化量目標値の最大値は、設定３の霧化量目標値Ｕ３（６００ｍｌ／ｈ）となる。一方、加湿の設定が「弱」の場合（第２の例で示すＬＵＴ２）、霧化量目標値の最大値は、設定２の霧化量目標値Ｕ２（３００ｍｌ／ｈ）となる。すなわち、加湿風の設定が「弱」の場合には、霧化量目標値最大値（上限値）を加湿風の設定が「強」の場合の霧化量目標値の上限値よりも低く設定している。
また、温風の吹き出しがない場合（第３の例で示すＬＵＴ３）、霧化量目標値の最小値は、加湿動作自体を行わない設定「ＯＦＦ」の際の霧化量目標値（０ｍｌ／ｈ）となる。一方、温風の吹き出しがある場合（第１の例で示すＬＵＴ１及び第２の例で示すＬＴＵ２）、霧化量目標値の最小値は、設定０の霧化量目標値Ｕ０（３０ｍｌ／ｈ）となる。すなわち、温風の吹き出しがない場合には、霧化量目標値の最小値（下限値）を温風の吹き出しがある場合よりも低く設定している。
このため、暖房機１では、ヒータ２３の動作電力や設定された加湿強度に応じて、より適切な霧化量目標値を設定しているため、床濡れを防止しつつ効果的な加湿動作を行うことができる。これにより、温風吹出機構２０と加湿風吹出機構３０の双方を備える暖房機１では、ヒータ２３の動作電力や設定された加湿強度に応じて、より適切な霧化量目標値を設定しているため、床濡れを防止しつつ効果的な加湿動作を行うことができる。
【０１０７】
また、差分水蒸気量Ｄは、Ｔｅｔｅｎｓの計算式により算出してもよい。
なお、差分水蒸気量Ｄは、検出温度Ｔ１及び一定時間の検出湿度Ｈの平均値を基準に演算して求めることも可能である。具体的には、計測された室温が２０℃、平均湿度５０％であれば、室温から演算によって飽和水蒸気量（Ｍ１）が１７．３ｇ／ｍ３と求められる。室温が２０℃、平均湿度５０％での水蒸気量（Ｈ１）は８．６５ｇ／ｍ３となり、差分水蒸気量Ｄは８．６５ｇ／ｍ３と求められる。加湿風制御部５２は、このようにして算出された差分水蒸気量Ｄに応じて、加湿能力を変化させ霧化量目標値を制御する。例えば、加湿風制御部５２が図１０に示すＬＵＴを用いた制御を行うとき、差分水蒸気量Ｄが８．６５ｇ／ｍ３の場合には設定２（霧化量目標値Ｕ２＝３００ｍｌ／ｈ）での制御を行うことが決定される。加湿風制御部５２は、霧化量目標値Ｕ２＝３００ｍｌ／ｈで加湿を行うために、霧化器３５ａの動作を制御する。霧化器３５ａは、加湿風制御部５２の制御に基づいて間欠動作を行い、霧化量が調整される。
【０１０８】
［その他］
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１０９】
１  暖房機
１０  筐体
１１  フロントパネル
１３ａ  温風用空気取込口
１４ａ  加湿風用空気取込口
２１  温風吹出口
２２ａ  第１送風路
２２ｂ  第２送風路
２３  ヒータ
２４  温風用送風機
３１  加湿風誘導部材
３１ａ加湿風吹出口
３２  加湿部
３３  給液タンク取付部
３４  送液管
３８  加湿風用送風機
４０  給液タンク
【図１】
2017032235.tif 000003
【図２】
2017032235.tif 000004
【図３】
2017032235.tif 000005
【図４】
2017032235.tif 000006
【図５】
2017032235.tif 000007
【図６】
2017032235.tif 000008
【図７】
2017032235.tif 000009
【図８】
2017032235.tif 000010
【図９】
2017032235.tif 000011
【図１０】
2017032235.tif 000012
【図１１】
2017032235.tif 000013
【図１２】
2017032235.tif 000014
【図１３】
2017032235.tif 000015
【図１４】
2017032235.tif 000016
【図１５】
2017032235.tif 000017
【図１６】
2017032235.tif 000018
【図１７】
2017032235.tif 000019
【図１８】
2017032235.tif 000020
【図１９】
2017032235.tif 000021